(57)【特許請求の範囲】
【請求項１】
マシンタイプ通信（ＭＴＣ）用に構成された無線送受信ユニット（ＷＴＲＵ）で使用する方法であって、
イベントに応答して前記ＷＴＲＵの指定を決定するステップであって、前記ＷＴＲＵはＷＴＲＵのグループに属し、前記指定が前記グループに関するものである、ステップと、
前記ＷＴＲＵが指定ＷＴＲＵであるという条件下で、前記グループの全てのメンバーのためにＭＴＣサーバへの登録を行うステップと、
接続情報を取得するステップと、
データを前記ＭＴＣサーバにアップロードするステップと、
前記ＷＴＲＵが最後のＷＴＲＵである場合、
無線リソースおよびＩＰアドレスを解放し、登録を維持するステップ、または、
無線リソースを解放し、ＩＰアドレスおよび登録を維持するステップ
の一方を実施するステップと、
スリープサイクルに入るステップと、
前記イベントに応答して、前記スリープサイクルからウェイクアップサイクルに入るステップと、
制御チャネル、ブロードキャストチャネルおよびマルチキャストチャネルの１つからシステム更新をリッスンするステップであって、前記ＷＴＲＵは再登録する必要がない、ステップと
を備えることを特徴とする方法。
【請求項２】
前記指定ＷＴＲＵまたは前記最後のＷＴＲＵの一方が、
無線リソースおよびＩＰアドレスを解放し、登録を維持するステップ、または
無線リソースを解放し、ＩＰアドレスおよび登録を維持するステップ
の一方を行うことを特徴とする請求項１に記載の方法。
【請求項３】
前記ウェイクアップサイクルは、制御サイクルおよび報告サイクルを含むことを特徴とする請求項１に記載の方法。
【請求項４】
前記報告サイクルを検出すると、
前記ＷＴＲＵが指定ＷＴＲＵであるという条件下で、前記グループの全てのメンバーのために無線リソースを取得するステップと、
ユーザプレーンの無線リソース情報を取得するステップと、
ＭＴＣサーバの要求がある場合、Ｕｎｉｆｏｒｍ Ｒｅｓｏｕｒｃｅ Ｉｄｅｎｔｉｔｙ（ＵＲＩ）またはＵｎｉｆｏｒｍ Ｒｅｓｏｕｒｃｅ Ｌｏｃａｔｏｒ（ＵＲＬ）の一方を用いてＭＴＣサービス登録を行うステップと、
前記ＵＲＩまたはＵＲＬに基づいて前記ＭＴＣサーバにアクセスするステップと
をさらに備えることを特徴とする請求項３に記載の方法。
【請求項５】
前記ＷＴＲＵが指定ＷＴＲＵであるという条件下で、ＩＰアドレスを取得するステップをさらに備えることを特徴とする請求項４に記載の方法。
【請求項６】
制御サイクルを検出すると、
ページングメッセージが存在しないと判定したとき前記スリープサイクルに再度入るステップをさらに備えることを特徴とする請求項３に記載の方法。
【請求項７】
制御サイクルを検出すると、
個々のページを受信したとき前記ＷＴＲＵを指定ＷＴＲＵとして指定するステップと、
前記ＷＴＲＵが指定ＷＴＲＵであるという条件下で、前記グループの全てのメンバーのために無線リソースを取得するステップと、
ユーザプレーンの無線リソース情報を取得するステップと、
ＭＴＣサーバの要求がある場合、Ｕｎｉｆｏｒｍ Ｒｅｓｏｕｒｃｅ Ｉｄｅｎｔｉｔｙ（ＵＲＩ）またはＵｎｉｆｏｒｍ Ｒｅｓｏｕｒｃｅ Ｌｏｃａｔｏｒ（ＵＲＬ）の一方を用いてＭＴＣサービス登録を行うステップと、
前記ＵＲＩまたはＵＲＬに基づいて前記ＭＴＣサーバにアクセスするステップと
をさらに備えることを特徴とする請求項３に記載の方法。
【請求項８】
ＷＴＲＵ指定情報を含むページングメッセージを待つステップをさらに備えることを特徴とする請求項３に記載の方法。
【請求項９】
個々のＷＴＲＵは、前記報告サイクルの持続期間中、異なるローカルＩＰアドレスを割り振ることを特徴とする請求項４に記載の方法。
【請求項１０】
前記ＷＴＲＵは、パケット−一時的モバイル加入者識別（Ｐ−ＴＭＳＩ）、またはグループベースのＩＭＳＩおよびアカウント番号を有するページングメッセージを用いて更新されることを特徴とする請求項１に記載の方法。
【請求項１１】
マシンタイプ通信（ＭＴＣ）のための無線送受信ユニット（ＷＴＲＵ）であって、
送信機と、
受信機と、
前記受信機および送信機と通信するプロセッサと
を備え、
前記プロセッサは、イベントに応答して前記ＷＴＲＵの指定を決定するように構成され、前記ＷＴＲＵはＷＴＲＵのグループに属し、また前記指定が前記グループに関するものであり、
前記プロセッサは、前記ＷＴＲＵが指定ＷＴＲＵであるという条件下で、前記グループの全てのメンバーのために、ＭＴＣサーバへの登録を行うように構成され、
前記プロセッサ、送信機および受信機は、接続情報を取得するように構成され、
前記送信機は、前記ＭＴＣサーバにデータをアップロードするように構成され、
前記ＷＴＲＵは、前記イベントに応答して、スリープサイクルからウェイクアップサイクルに入るように構成され、
前記プロセッサおよび前記受信機は、制御チャネル、ブロードキャストチャネルおよびマルチキャストチャネルの１つからシステム更新をリッスンするように構成され、前記ＷＴＲＵは再登録する必要がない
ことを特徴とするＷＴＲＵ。
【請求項１２】
前記ＷＴＲＵが最後のＷＴＲＵである場合、
前記プロセッサ、送信機および受信機は、無線リソースおよびＩＰアドレスを解放し、登録を維持するように構成されること、または
前記プロセッサ、送信機および受信機は、無線リソースを解放し、ＩＰアドレスおよび登録を維持するように構成されること
の一方を実施すること、および
前記ＷＴＲＵがスリープサイクルに入ること
をさらに備えることを特徴とする請求項１１に記載のＷＴＲＵ。
【発明の詳細な説明】
【技術分野】
【０００１】
本出願は、無線通信に関する。
【背景技術】
【０００２】
Ｍ２Ｍ（machine to machine：機器間の）通信（「マシンタイプ通信」または「ＭＴＣ」とも呼ばれる）は、必ずしも人的対話を必要としないエンティティ間のデータ通信の形態と考えることができる。
【０００３】
３ＧＰＰ（3rd Generation Partnership Project）では、Ｍ２Ｍ通信に対するシステムの最適化は、Ｍ２Ｍ装置の急増およびその増加したトラフィック負荷（すなわち、動作およびシグナリング手続き数の増加）、既存のインフラストラクチャおよび既存のアクセス機構の効率的な再使用に対するアップグレードに見込まれるコスト、一意の装置識別子の不足、輻輳制御などの大きな課題に直面している可能性がある。一定数の加入者をサポートするためのシステム性能および能力は、様々な加入者の活動、および後続のシステム手続きによりトリガされる、インフラストラクチャでサポートされる同時の計算数によって決まる可能性がある。
【発明の概要】
【０００４】
Ｍ２Ｍ（マシンツーマシン）通信（「マシンタイプ通信」または「ＭＴＣ」とも呼ばれる）登録のための方法および装置が開示される。本方法は、単一の周期的な登録を提供し、装置ベース、またはネットワークベースとすることができる。システム中の装置は、グループに分割することができる。例えば、それは、地理的な位置に基づくことができる。単一の装置メンバーが、グループのために基本的なアクセスステップを行うことができる。他の装置は、制御チャネル上で関連する全てのアクセス情報を受け取り、かつその情報を使用してシステムにアクセスすることができる。装置は、それ自体のデータを送り、何らかの更新を取得し、スリープサイクルに入ることができる。インターネットアドレスは、解放され、または維持されることができる。２つのウェイクアップサイクル、すなわち、１つは制御するための、また１つは情報をアップロードするためのサイクル（報告サイクル）を提供することができる。制御サイクル中、装置は起動しており、何らかのページングメッセージを求めて制御チャネルをリッスンすることができる。ページング情報に応じて、個々の装置またはグループ全体が、システムにアクセスすることができる。報告サイクル中、全ての装置は、起動し、システムにアクセスしてＭ２Ｍシステムに接続し、データをアップロードすることができる。
【図面の簡単な説明】
【０００５】
添付図面と併せて例として示された以下の記述から詳細な理解を得ることができる。
【０００６】
【図１Ａ】１つまたは複数の開示された実施形態を実施できる例示的な通信システムのシステム図である。
【図１Ｂ】図１Ａで示された通信システム内で使用できる例示的なＷＴＲＵ（無線送受信ユニット）のシステム図である。
【図１Ｃ】図１Ａで示された通信システム内で使用できる例示的な無線アクセスネットワーク、および例示的なコアネットワークのシステム図である。
【図２】オペレータドメイン内にＭＴＣサーバを有する例示的なＭＴＣ（マシンタイプ通信）を示す図である。
【図３】オペレータドメイン外にＭＴＣサーバを有する例示的なＭＴＣを示す図である。
【図４】ＭＴＣサーバを有しない例示的なＭＴＣを示す図である。
【図５】ＭＴＣに対して周期的な登録を実施する例示的な流れ図である。
【図６Ａ】ＭＴＣに対して単一の登録を実施する例示的な流れ図である。
【図６Ｂ】ＭＴＣに対して単一の登録を実施する例示的な流れ図である。
【図７Ａ】スリープサイクル中にＩＰアドレスを解放することを含むＭＴＣに対して単一の登録を実施する他の例示的な流れ図である。
【図７Ｂ】スリープサイクル中にＩＰアドレスを解放することを含むＭＴＣに対して単一の登録を実施する他の例示的な流れ図である。
【図８Ａ】スリープサイクル中にＩＰアドレスを維持することを含むＭＴＣに対して単一の登録を実施する他の例示的な流れ図である。
【図８Ｂ】スリープサイクル中にＩＰアドレスを維持することを含むＭＴＣに対して単一の登録を実施する他の例示的な流れ図である。
【図９Ａ】スリープサイクル中にＩＰアドレスを維持することを含み、かつＭＢＭＳを用いるＭＴＣに対して単一の登録を実施する他の例示的な流れ図である。
【図９Ｂ】スリープサイクル中にＩＰアドレスを維持することを含み、かつＭＢＭＳを用いるＭＴＣに対して単一の登録を実施する他の例示的な流れ図である。
【図１０】ＭＴＣ  ＷＴＲＵのグループに対する例示的な報告サイクルを示す図である。
【図１１】ＭＴＣ  ＷＴＲＵのグループに対す制御期間イベントの例を示す図である。
【図１２Ａ】スリープサイクル中にＩＰ接続を解放することを含むＭＴＣに対してネットワークベースの登録を実施する例示的な流れ図である。
【図１２Ｂ】スリープサイクル中にＩＰ接続を解放することを含むＭＴＣに対してネットワークベースの登録を実施する例示的な流れ図である。
【図１３Ａ】スリープサイクル中にＩＰ接続を維持することを含むＭＴＣに対してネットワークベースの登録を実施する例示的な流れ図である。
【図１３Ｂ】スリープサイクル中にＩＰ接続を維持することを含むＭＴＣに対してネットワークベースの登録を実施する例示的な流れ図である。
【発明を実施するための形態】
【０００７】
図１Ａは、１つまたは複数の開示される実施形態を実施できる例示的な通信システム１００の図である。通信システム１００は、音声、データ、ビデオ、メッセージング、ブロードキャストなどのコンテンツを複数の無線ユーザに提供する複数のアクセスシステムとすることができる。通信システム１００は、無線帯域幅を含むシステムリソースを共用することにより、複数の無線ユーザがこのようなコンテンツにアクセスできるようにする。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（単一キャリアＦＤＭＡ）など、１つまたは複数のチャネルアクセス法を使用することができる。
【０００８】
図１Ａで示すように、通信システム１００は、ＷＴＲＵ（無線送受信ユニット）１０２ａ、１０２ｂ、１０２ｃ、１０２ｄ、ＲＡＮ（無線アクセスネットワーク）１０４、コアネットワーク１０６、ＰＳＴＮ（公衆交換電話網）１０８、インターネット１１０および他のネットワーク１１２を含むことができるが、開示される諸実施形態は、任意の数のＷＴＲＵ、基地局、ネットワークおよび／またはネットワーク要素を企図していることが理解されよう。ＷＴＲＵ１０２ａ、１０２ｂ、１０２ｃ、１０２ｄのそれぞれは、無線環境中で動作し、かつ／または通信するように構成された任意のタイプの装置とすることができる。例えば、ＷＴＲＵ１０２ａ、１０２ｂ、１０２ｃ、１０２ｄは、無線信号を送信し、かつ／または受信するように構成することができ、またＵＥ（ユーザ端末）、移動局、固定または移動加入者ユニット、ページャ、セルラ式電話、ＰＤＡ（携帯情報端末）、スマートフォン、ラップトップ、ネットブック、パーソナルコンピュータ、無線センサ、家庭用電子機器、ＭＴＣ（マシンタイプ通信）装置などを含むことができる。
【０００９】
通信システム１００はまた、基地局１１４ａおよび基地局１１４ｂを含むことができる。基地局１１４ａ、１１４ｂのそれぞれは、コアネットワーク１０６、インターネット１１０および／またはネットワーク１１２などの１つまたは複数の通信ネットワークへのアクセスを容易にするために、ＷＴＲＵ１０２ａ、１０２ｂ、１０２ｃ、１０２ｄの少なくとも１つと無線でインターフェースをとるように構成された任意のタイプの装置とすることができる。例えば、基地局１１４ａ、１１４ｂは、ＢＴＳ（Base Transceiver Station）、ノードＢ、ｅＮｏｄｅ−Ｂ、ホームノードＢ、ホームｅＮｏｄｅ−Ｂ、サイトコントローラ、ＡＰ（アクセスポイント）、無線ルータなどとすることができる。基地局１１４ａ、１１４ｂは、それぞれ、単一の要素として示されているが、基地局１１４ａ、１１４ｂは、任意の数の相互接続された基地局および／またはネットワーク要素を含みうることが理解されよう。
【００１０】
基地局１１４ａはＲＡＮ１０４の一部とすることができ、ＲＡＮ１０４はまた、他の基地局、および／またはＢＳＣ（base station controller）、ＲＮＣ（無線ネットワーク制御装置）、中継ノードなどのネットワーク要素（図示せず）を含むことができる。基地局１１４ａおよび／または基地局１１４ｂは、セル（図示せず）と呼ぶこともできる特定の地理的領域内で無線信号を送信し、かつ／または受信するように構成することができる。セルはさらに、セルのセクタへと分割することができる。例えば、基地局１１４ａに関連するセルを、３つのセクタに分割することができる。したがって、一実施形態では、基地局１１４ａは、３つの送受信器、すなわち、セルの各セクタに対して１つを含むことができる。他の実施形態では、基地局１１４ａは、ＭＩＭＯ（multiple-input multiple output）技術を使用することができ、したがって、セルの各セクタに対して複数の送受信器を使用することができる。
【００１１】
基地局１１４ａ、１１４ｂは、任意の適切な無線通信リンク（例えば、ＲＦ（無線周波数）、マイクロ波、ＩＲ（赤外線）、ＵＶ（紫外線）、可視光など）とすることのできる無線インターフェース１１６を介して、ＷＴＲＵ１０２ａ、１０２ｂ、１０２ｃ、１０２ｄの１つまたは複数と通信することができる。無線インターフェース１１６は、任意の適切なＲＡＴ（無線アクセス技術）を用いて確立することができる。
【００１２】
具体的には、上述したように、通信システム１００は、複数のアクセスシステムとすることができ、またＣＤＭＡ、ＴＤＭＡ、ＦＤＭＡ、ＯＦＤＭＡ、ＳＣ−ＦＤＭＡなど、１つまたは複数のチャネルアクセス方式を使用することができる。例えば、ＲＡＮ１０４における基地局１１４ａ、およびＷＴＲＵ１０２ａ、１０２ｂ、１０２ｃは、ＵＴＲＡ（UMTS (Universal Mobile Telecommunications System) Terrestrial Radio Access）などの無線技術を実施することができるが、それは、ＷＣＤＭＡ（広帯域ＣＤＭＡ）を使用して無線インターフェース１１６を確立することができる。ＷＣＤＭＡは、ＨＳＰＡ（High-Speed Packet Access）および／またはＨＳＰＡ＋（Evolved HSPA）などの通信プロトコルを含むことができる。ＨＳＰＡは、ＨＳＤＰＡ（High-Speed Downlink Packet Access）および／またはＨＳＵＰＡ（High-Speed Uplink Packet Access）を含むことができる。
【００１３】
他の実施形態では、基地局１１４ａ、およびＷＴＲＵ１０２ａ、１０２ｂ、１０２ｃは、Ｅ−ＵＴＲＡ（Evolved UMTS Terrestrial Radio Access）などの無線技術を実施することができ、それは、ＬＴＥ（Long Term Evolution）および／またはＬＴＥ−Ａ（LTE-Advanced）を用いて無線インターフェース１１６を確立することができる。
【００１４】
他の実施形態では、基地局１１４ａ、およびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＥＲＡＮ（GSM EDGE）などの無線技術を実施することができる。
【００１５】
図１Ａの基地局１１４ｂは、例えば、無線ルータ、ホームノードＢ、ホームｅＮｏｄｅＢ、またはアクセスポイントとすることができ、また職場、家庭、車両、学内など、局所化されたエリアで無線接続を容易に行うための任意の適切なＲＡＴを使用することができる。一実施形態では、基地局１１４ｂ、およびＷＴＲＵ１０２ｃ、１０２ｄは、ＷＬＡＮ（無線ローカルエリアネットワーク）を確立するために、ＩＥＥＥ８０２．１１などの無線技術を実施することができる。他の実施形態では、基地局１１４ｂ、およびＷＴＲＵ１０２ｃ、１０２ｄは、ＷＰＡＮ（無線パーソナルエリアネットワーク）を確立するためにＩＥＥＥ８０２．１５などの無線技術を実施することができる。さらに他の実施形態では、基地局１１４ｂ、およびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａなど）を使用することができる。図１Ａで示すように、基地局１１４ｂは、インターネット１１０に対する直接接続を有することができる。したがって、基地局１１４ｂは、コアネットワーク１０６を経由してインターネット１１０にアクセスする必要がないはずである。
【００１６】
ＲＡＮ１０４は、コアネットワーク１０６と通信することができ、コアネットワーク１０６は、１つまたは複数のＷＴＲＵ１０２ａ、１０２ｂ、１０２ｃ、１０２ｄに対して、音声、データ、アプリケーション、および／またはＶｏＩＰ（voice over internet protocol）サービスを提供するように構成された任意のタイプのネットワークとすることができる。例えば、コアネットワーク１０６は、呼制御、課金サービス、移動体位置ベースサービス、プリペイド電話、インターネット接続、ビデオ配信などを提供し、かつ／またはユーザ認証などの高レベルのセキュリティ機能を行うことができる。図１Ａに示されていないが、ＲＡＮ１０４および／またはコアネットワーク１０６は、ＲＡＮ１０４と同じＲＡＴを使用する、または異なるＲＡＴを使用する他のＲＡＮと直接、または間接的に通信できることが理解されよう。例えば、Ｅ−ＵＴＲＡ無線技術を用いることのできるＲＡＮ１０４に接続されるのに加えて、コアネットワーク１０６はまた、ＧＳＭ無線技術を使用する他のＲＡＮ（図示せず）と通信することもできる。
【００１７】
コアネットワーク１０６はまた、ＷＴＲＵ１０２ａ、１０２ｂ、１０２ｃ、１０２ｄが、ＰＳＴＮ１０８、インターネット１１０および／または他のネットワーク１１２にアクセスするためのゲートウェイとしても働くことができる。ＰＳＴＮ１０８は、ＰＯＴＳ（Plain Old Telephone Service）を提供する回線交換電話網を含むことができる。インターネット１１０は、ＴＣＰ／ＩＰインターネットプロトコル群におけるＴＣＰ、ＵＤＰ（user datagram protocol）およびＩＰなどの一般的な通信プロトコルを使用する相互接続されたコンピュータネットワークおよび装置のグローバルシステムを含むことができる。ネットワーク１１２は、他のサービスプロバイダに所有され、かつ／または運用される有線または無線の通信ネットワークを含むことができる。例えば、ネットワーク１１２は、ＲＡＮ１０４と同じＲＡＴ、または異なるＲＡＴを使用できる１つまたは複数のＲＡＮに接続された他のコアネットワークを含むことができる。
【００１８】
通信システム１００のＷＴＲＵ１０２ａ、１０２ｂ、１０２ｃ、１０２ｄのいくつか、または全ては、マルチモード機能を含むことができる、すなわち、ＷＴＲＵ１０２ａ、１０２ｂ、１０２ｃ、１０２ｄは、様々な無線リンクを介して、様々な無線ネットワークと通信するための複数の送受信機を含むことができる。例えば、図１Ａで示すＷＴＲＵ１０２ｃは、セルラベースの無線技術を使用できる基地局１１４ａと通信し、かつＩＥＥＥ８０２無線技術を使用できる基地局１１４ｂと通信するように構成することができる。
【００１９】
図１Ｂは、例示的なＷＴＲＵ１０２のシステム図である。図１Ｂで示すように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、取外し不能メモリ１３０、取外し可能メモリ１３２、電源１３４、ＧＰＳ（全地球測位システム）チップセット１３６および他の周辺装置１３８を含むことができる。ＷＴＲＵ１０２は、実施形態との整合性を維持しながら、前述の要素の任意のサブコンビネーションを含みうることが理解されよう。
【００２０】
プロセッサ１１８は、汎用プロセッサ、専用プロセッサ、従来のプロセッサ、ＤＳＰ（デジタル信号プロセッサ）、複数のマイクロプロセッサ、ＤＳＰコアに関連付けられた１つまたは複数のマイクロプロセッサ、コントローラ、マイクロコントローラ、ＡＳＩＣ（特定用途向け集積回路）、ＦＰＧＡ（書替え可能ゲートアレイ）回路、任意の他のタイプのＩＣ（集積回路）、状態マシンなどとすることができる。プロセッサ１１８は、信号符号化、データ処理、電力制御、入力／出力処理および／またはＷＴＲＵ１０２が無線環境で動作できるようにする任意の他の機能を実施することができる。プロセッサ１１８は、送受信機１２０に結合することができ、送受信機１２０は、送信／受信要素１２２に結合することができる。図１Ｂは、プロセッサ１１８と送受信機１２０を別々の構成要素として示しているが、プロセッサ１１８および送受信機１２０は、電子的なパッケージ、またはチップ中で共に一体化できることが理解されよう。
【００２１】
送信／受信要素１２２は、無線インターフェース１１６を介して、基地局（例えば、基地局１１４ａ）に信号を送信し、またはそこから信号を受信するように構成することができる。例えば、一実施形態では、送信／受信要素１２２は、ＲＦ信号を送信および／または受信するように構成されたアンテナとすることができる。他の実施形態では、送信／受信要素１２２は、例えば、ＩＲ、ＵＶ、または可視光信号を送信および／または受信するように構成されたエミッタ／検出器とすることができる。さらに他の実施形態では、送信／受信要素１２２は、ＲＦ信号と光信号を共に送信および受信するように構成することができる。送信／受信要素１２２は、任意の組合せの無線信号を送信および／または受信するように構成できることが理解されよう。
【００２２】
さらに、送信／受信要素１２２は、図１Ｂで単一の要素として示されているが、ＷＴＲＵ１０２は、任意の数の送信／受信要素１２２を含むことができる。具体的には、ＷＴＲＵ１０２は、ＭＩＭＯ技術を使用することができる。従って、一実施形態では、ＷＴＲＵ１０２は、無線インターフェース１１６を介して無線信号を送信し、かつ受信するために、２つ以上の送信／受信要素１２２（例えば、複数のアンテナ）を含むことができる。
【００２３】
送受信機１２０は、送信／受信要素１２２により送信される信号を変調し、かつ送信／受信要素１２２により受信された信号を復調するように構成することができる。上述したように、ＷＴＲＵ１０２は、マルチモード機能を有することができる。従って、送受信機１２０は、ＷＴＲＵ１０２が、例えば、ＵＴＲＡおよびＩＥＥＥ８０２．１１などの複数のＲＡＴにより通信できるようにするために、複数の送受信機を含むことができる。
【００２４】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶画面）表示ユニット、またはＯＬＥＤ（有機発光ダイオード）表示ユニット）に結合し、かつそこからユーザ入力データを受け取ることができる。プロセッサ１１８はまた、ユーザデータをスピーカ／マイクロフォン１２４、キーパッド１２６および／またはディスプレイ／タッチパッド１２８に出力することもできる。さらに、プロセッサ１１８は、取外し不能メモリ１３０および／または取外し可能メモリ１３２など、任意のタイプの適切なメモリからの情報にアクセスし、データをそれに記憶させることができる。取外し不能メモリ１３０は、ＲＡＭ、ＲＯＭ、ハードディスクまたは任意の他のタイプのメモリ記憶装置を含むことができる。取外し可能メモリ１３２は、ＳＩＭ（加入者識別モジュール）カード、メモリスティック、ＳＤ（secure digital）メモリカードなどを含むことができる。他の実施形態では、プロセッサ１１８は、サーバまたはホームコンピュータ（図示せず）上など、ＷＴＲＵ１０２上に物理的に位置していないメモリからの情報にアクセスし、かつそこにデータを記憶することができる。
【００２５】
プロセッサ１１８は、電源１３４から電力を受け取ることができ、またその電力をＷＴＲＵ１０２中の他の構成要素に分配し、かつ／または制御するように構成することができる。電源１３４は、ＷＴＲＵ１０２に電源を供給するための任意の適切な装置とすることができる。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２６】
プロセッサ１１８はまた、ＷＴＲＵ１０２の現在位置に関する位置情報（例えば、経度および緯度）を提供するように構成できるＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）から無線インターフェース１１６を介して位置情報を受信し、かつ／または２つ以上の近傍の基地局から受信した信号のタイミングに基づいてその位置を決定することができる。ＷＴＲＵ１０２は、実施形態との整合性を維持しながら、任意の適切な位置決定法により位置情報を取得できることが理解されよう。
【００２７】
プロセッサ１１８は、さらなる特徴、機能、および／または有線もしくは無線接続を提供する１つまたは複数のソフトウェア、および／またはハードウェアモジュールを含むことのできる他の周辺装置１３８にさらに結合することができる。例えば、周辺装置１３８は、加速度計、電子コンパス（e-compass）、衛星送受信機、デジタルカメラ（写真またはビデオ用）、ＵＳＢ（universal serial bus）ポート、振動装置、テレビジョン送受信機、ハンズフリーヘッドセット、ブルートゥースモジュール、ＦＭ（周波数変調）無線ユニット、デジタル音楽プレイヤ、メディアプレイヤ、ビデオゲームプレイヤモジュール、インターネットブラウザなどを含むことができる。
【００２８】
図１Ｃは、本実施形態に係るＲＡＮ１０４およびコアネットワーク１０６のシステム図である。上述したように、ＲＡＮ１０４は、無線インターフェース１１６を介してＷＴＲＵ１０２ａ、１０２ｂ、１０２ｃと通信するためにＥ−ＵＴＲＡ無線技術を使用することができる。ＲＡＮ１０４はまたコアネットワーク１０６と通信することができる。
【００２９】
ＲＡＮ１０４は、ｅＮｏｄｅ−Ｂ１４０ａ、１４０ｂ、１４０ｃを含むことができるが、ＲＡＮ１０４は、実施形態との整合性を維持しながら、任意の数のｅＮｏｄｅ−Ｂを含みうることが理解されよう。ｅＮｏｄｅ−Ｂ１４０ａ、１４０ｂ、１４０ｃは、それぞれ、無線インターフェース１１６を介してＷＴＲＵ１０２ａ、１０２ｂ、１０２ｃと通信するための１つまたは複数の送受信機を含むことができる。一実施形態では、ｅＮｏｄｅ−Ｂ１４０ａ、１４０ｂ、１４０ｃは、ＭＩＭＯ技術を実施することができる。従って、例えば、ｅＮｏｄｅ−Ｂ１４０ａは、ＷＴＲＵ１０２ａに無線信号を送信し、かつそこから無線信号を受信するために複数のアンテナを使用することができる。
【００３０】
ｅＮｏｄｅ−Ｂ１４０ａ、１４０ｂ、１４０ｃのそれぞれは、特定のセル（図示せず）と関連付けることができ、また無線リソース管理の判断、ハンドオーバ判断、アップリンクおよび／またはダウンリンクのユーザのスケジューリングなどを処理するように構成することができる。図１Ｃで示すように、ｅＮｏｄｅ−Ｂ１４０ａ、１４０ｂ、１４０ｃは、Ｘ２インターフェースを介して互いに通信することができる。
【００３１】
図１Ｃで示すコアネットワーク１０６は、ＭＭＥ（mobility management gateway）１４２、サービングゲートウェイ１４４およびＰＤＮ（パケットデータネットワーク）ゲートウェイ１４６を含むことができる。前述の各要素は、コアネットワーク１０６の一部として示されているが、これらの要素の任意の１つは、コアネットワークオペレータ以外のエンティティにより所有され、かつ／または運用されうることが理解されよう。
【００３２】
ＭＭＥ１４２は、Ｓ１インターフェースを介してＲＡＮ１０４におけるｅＮｏｄｅ−Ｂ１４２ａ、１４２ｂ、１４２ｃのそれぞれに接続することができ、また制御ノードとして働くことができる。例えば、ＭＭＥ１４２は、ＷＴＲＵ１０２ａ、１０２ｂ、１０２ｃのユーザ認証、ベアラのアクティベーション／非アクティベーション、ＷＴＲＵ１０２ａ、１０２ｂ、１０２ｃの初期接続中に特定のサービングゲートウェイを選択すること、などを扱うことができる。ＭＭＥ１４２はまた、ＲＡＮ１０４と、ＧＳＭまたはＷＣＤＭＡなどの他の無線技術を使用する他のＲＡＮ（図示せず）との間で切り換えるための制御プレーン機能を提供することもできる。
【００３３】
サービングゲートウェイ１４４は、Ｓ１インターフェースを介して、ＲＡＮ１０４におけるｅＮｏｄｅ−Ｂ１４０ａ、１４０ｂ、１４０ｃのそれぞれに接続することができる。サービングゲートウェイ１４４は、ＷＴＲＵ１０２ａ、１０２ｂ、１０２ｃとの間で、概して、ユーザデータパケットを経路指定し、かつ転送することができる。サービングゲートウェイ１４４はまた、ｅＮｏｄｅ−Ｂ間のハンドオーバ中にユーザプレーンを固定すること、ダウンリンクデータがＷＴＲＵ１０２ａ、１０２ｂ、１０２ｃに利用可能であるときページングをトリガすること、ＷＴＲＵ１０２ａ、１０２ｂ、１０２ｃのコンテキストを管理し、かつ記憶すること、など、他の機能を実施することができる。
【００３４】
サービングゲートウェイ１４４は、ＰＤＮゲートウェイ１４６に接続することができ、ＰＤＮゲートウェイ１４６は、ＷＴＲＵ１０２ａ、１０２ｂ、１０２ｃと、ＩＰ対応可能装置との間の通信を容易にするために、インターネット１１０などのパケット交換ネットワークへのアクセスをＷＴＲＵ１０２ａ、１０２ｂ、１０２ｃに提供することができる。
【００３５】
コアネットワーク１０６は、他のネットワークとの通信を容易にすることができる。例えば、コアネットワーク１０６は、ＷＴＲＵ１０２ａ、１０２ｂ、１０２ｃと、従来の固定電話通信装置との間の通信を容易にするために、ＰＳＴＮ１０８などの回線交換網へのアクセスをＷＴＲＵ１０２ａ、１０２ｂ、１０２ｃに提供することができる。例えば、コアネットワーク１０６は、コアネットワーク１０６とＰＳＴＮ１０８の間のインターフェースとして働くＩＰゲートウェイ（例えば、ＩＭＳ（ＩＰマルチメディアサブシステム）サーバ）を含むことができ、またはそれと通信することができる。さらに、コアネットワーク１０６は、他のサービスプロバイダにより所有された、かつ／または運用される他の有線または無線ネットワークを含むことのできるネットワーク１１２へのアクセスを、ＷＴＲＵ１０２ａ、１０２ｂ、１０２ｃに提供することができる。
【００３６】
Ｍ２Ｍ通信（「マシンタイプ通信」または「ＭＴＣ」とも呼ばれる）は、様々な分野で使用することができる。セキュリティの分野では、Ｍ２Ｍ通信は、監視システムで、電話の陸上回線のバックアップで、（例えば、建物への）物理的なアクセスの管理で、かつ車／運転者のセキュリティで使用することができる。追尾（tracking）および追跡（tracing）の分野では、Ｍ２Ｍ通信は、保有車両（fleet）管理、注文管理、ＰＡＹＤ（Pay As You Drive：走行距離連動型）用途、資産管理、ナビゲーション、交通情報用途、通行料徴収、交通最適化および操縦に対して使用することができる。料金支払いシステムの分野では、Ｍ２Ｍ通信は、販売時点情報管理（ＰＯＳ）、自動販売機、顧客ロイヤルティ用途およびゲーム機で使用することができる。健康管理では、Ｍ２Ｍ通信は、ウェブでアクセスする遠隔医療ポイントで、また遠隔診断で、年配者、または障害者をサポートする、生命徴候を遠隔で監視するために使用することができる。遠隔の保守／管理の分野では、Ｍ２Ｍ通信は、ＰＬＣ（プログラマブルロジックコントローラ）、センサ、照明、ポンプ、弁、エレベータ管理、自動販売機管理および車両診断で使用することができる。計測の分野では、Ｍ２Ｍ通信は、電力、ガス、水、暖房、グリッド管理および産業用計測に関係する用途で使用することができる。さらに、ＭＴＣ（マシンタイプ通信）技術に基づくＭ２Ｍ通信は、顧客サービスなどの分野で使用することができる。
【００３７】
Ｍ２Ｍ通信は、自動車保険の分野においてＰＡＹＤシステムを実施するために使用することができる。例えば、保険会社は、固定された保険料に代えて、車の使用量に基づき、車の運転者に課金することができる。これを達成するために、車には、Ｍ２Ｍ  ＷＴＲＵ（無線送受信ユニット）、ＧＰＳ装置および保険会社にデータを送信する様々な他のセンサが装備される。Ｍ２Ｍ  ＷＴＲＵは、ＵＩＣＣ（汎用集積回路カード）を含むことができる。保険会社は、受信したデータに基づき、運転者に課金されるレートを設定することができる。保険会社は、Ｍ２Ｍ  ＷＴＲＵがそれにより通信する無線ネットワークのオペレータと契約して、ＷＴＲＵにオペレータのネットワークを使用できるようにする。
【００３８】
追尾および追跡の分野では、車のレンタル会社は、車が運転されているときの位置に関する情報を取得するために、車にＭ２Ｍ  ＷＴＲＵを装備することができる。例えば、建築業界では、Ｍ２Ｍ  ＷＴＲＵは、高価な道具または他の機器を追尾するために使用することができる。石油産業では、Ｍ２Ｍ  ＷＴＲＵを、コンテナを追尾するために使用することができる。
【００３９】
多くの計測装置は、その取付け後には大部分、手を触れないままに置かれる。例えば、いくつかの業界では、取り付けられた計器は、取付け後、８年以上の間、手を触れないまま置かれる可能性がある。このような状況で、Ｍ２Ｍ  ＷＴＲＵ中のＵＩＣＣは、保護される必要がある。これが適正に達成されない場合、公共サービスへの接続が切断され、それにより詐欺が容易に行われる可能性がありうる。さらに、公共サービス、および／またはＭ２Ｍ  ＷＴＲＵ通信がそれにより通信する無線ネットワークのオペレータが変わった場合、問題が生ずる可能性がある。例えば、公共サービスの顧客が自分の公共サービス供給者をある会社から他の会社に変更した場合、新しい公共サービス供給者は、元の公共サービス供給者と同じネットワークオペレータに対して契約を有していない可能性がある。この状況は、複雑な会計機構により対処することができるが、または新しい公共サービス会社は、サービス要員を送って新しいＭ２Ｍ  ＷＴＲＵを取り付ける、または搭載されているＭ２Ｍ  ＷＴＲＵを構成する必要がありうる。しかし、これらの手法は共に、コストがかかり、エラーを生じやすい。
【００４０】
その実装形態に応じて、Ｍ２Ｍ通信は、いくつかの現在の通信モデルとは異なる可能性がある。例えば、Ｍ２Ｍ通信は、新しい、または異なる市場シナリオを含む可能性がありうる。Ｍ２Ｍ通信はまた、Ｍ２Ｍ通信が、多数のＷＴＲＵを含む可能性があること、かつ／またはＷＴＲＵ当たり非常にわずかな通信量を含む可能性があるという点で、いくつかの現在の技術とは異なる可能性がある。さらに、いくつかの現在の技術に対して、Ｍ２Ｍ通信は、展開するのに低コストであり、かつ労力が少ない可能性もある。
【００４１】
Ｍ２Ｍ通信は、ＧＳＭ、ＵＭＴＳ、ＬＴＥなどの３ＧＰＰ技術、並びに／またはＩＥＥＥおよび３ＧＰＰ２についての協会により開発されたものなどの他の技術に基づいて展開された無線ネットワークを利用することができる。Ｍ２Ｍ通信は、費用効果の高い方法でビジネスソリューションを与えるこれらの技術に基づいたネットワークを使用することができる。無線ネットワークのユビキタス展開を含む状況では、無線ネットワークの可用性により、Ｍ２Ｍ  ＷＴＲＵの展開および使用を容易にし、かつ／または促進することができる。さらに、これらの技術に対するさらなる拡張は、Ｍ２Ｍベースの解決策の展開に対するさらなる機会を提供することができる。表１は、ＭＴＣの用途に関して上記で述べた実装形態を要約している。
【００４２】
【表１】
0005499179.tif 000002
【００４３】
図２〜図４は、ＭＴＣ用途に対する様々な例示的なアーキテクチャを示す。図２は、オペレータドメイン２２０の内側にＭＴＣサーバ２１０を含む例示的なＭＴＣアーキテクチャ２００を示す。１群のＭＴＣ装置２３０は、ＭＴＣサーバ２１０と通信することができる。ＭＴＣサーバ２１０は、ＰＬＭＮ（公衆陸上移動ネットワーク）と通信することができ、またＰＬＭＮを介してＭＴＣ装置２３０に伝達することができる。ＭＴＣサーバ２１０は、ＭＴＣユーザ２４０とＡＰＩ（application program interface）２３５を介して通信することができ、またＭＴＣユーザ２４０に対するサービスを実施することができる。各ＭＴＣ装置２３０は、マシンタイプ通信用に装備したＷＴＲＵとすることができる。ＭＴＣサーバ２１０はまた、Ｍ２ＭサーバおよびＭ２Ｍオペレータと呼ぶこともできる。本明細書で述べる例および実施形態は、ＭＴＣ装置について述べるが、ＷＴＲＵという用語も使用することができる。
【００４４】
図３は、オペレータドメイン３２０の外側に位置するＭＴＣサーバ３１０を含む例示的なＭＴＣアーキテクチャ３００を示している。１群のＭＴＣ装置３３０は、ＭＴＣサーバ３１０と通信することができる。ＭＴＣサーバ３１０は、ＭＴＣユーザ３４０に結合することができる。１群のＭＴＣ装置３３０は、オペレータドメイン３２０を通して通信することができ、オペレータドメイン３２０はＭＴＣサーバ３１０と通信することができる。
【００４５】
図４は、例示的なＭＴＣアーキテクチャ４００を示しており、ここで、ＭＴＣ装置は、中間のＭＴＣサーバを使用せずに直接通信することができる。ＭＴＣ装置４３０の第１のグループは、オペレータドメインＡ４１０を通して通信することができる。ＭＴＣ装置４４０の第２のグループは、オペレータドメインＢ４２０を通して通信することができる。オペレータドメインＡ４１０およびオペレータドメインＢ４２０は、互いに通信することができ、それにより、ＭＴＣ装置４３０の第１のグループに、中間的なＭＴＣサーバを使用せずに、各オペレータドメイン（オペレータドメインＡ４１０およびオペレータドメインＢ４２０）を介して、ＭＴＣ装置４４０の第２のグループと通信できるようにする。
【００４６】
図５は、ＭＴＣに対して周期的な登録プロセスを実施する例示的な流れ図５００である。このプロセスでは、１群のＭＴＣ装置は、同じセル、エリアまたは地理的位置に属することができる。グループは、３ＧＰＰ認可および認証のために、グループベースのＩＭＳＩ（international mobile subscriber identity）を使用することができ、また登録プロセスは、正しくないＩＭＳＩがＭＴＣ装置により提供された場合、拒否されうる。各グループのＩＭＳＩに対して、ＭＴＣ装置をアドレス指定することに対応するグループＭＳＩＳＤＮ（Mobile Subscriber Integrated Services Digital network Number）が存在しうる。ＭＴＣ装置のグループ内の個々のＭＴＣ装置は、同じ無線リソースおよび同じＩＰアドレスを使用し、そのデータを、同じＰ−ＴＭＳＩ（packet-temporary mobile subscriber identity）／ＩＭＳＩを用いて送信することができる。個々のＵＲＩ（uniform resource identifier）は、ＭＴＣ装置のグループ内のＭＴＣ装置を識別するための識別子として使用することができる。ＵＲＩはアカウント番号に基づくことができる。
【００４７】
さらに、１つのＭＴＣ装置は、ＭＴＣ装置グループのために、例えば、ＩＭＳＩ接続手続きなどの、登録を行うことができる。このＭＴＣ装置は、アルファ（alpha）ＭＴＣ装置と呼ぶことができる。アルファＭＴＣ装置は、ネットワークにより（各装置を別個にポーリングすることにより、または送信シーケンスを送ることにより）、ランダムに（各装置は、その送信時間を決定するためにハッシュアルゴリズムにより乱数を選択する）、事前のコンフィギュレーションにより（システムおよび装置の初期セットアップ中に）、またはそれらの何らかの組合せにより選択することができる。アルファＭＴＣ装置は、ＲＲＣ（無線リソース制御装置）リソース、Ｐ−ＴＭＳＩ、ＩＰアドレスなどを含むリソースを受け取ることができる。アルファＭＴＣ装置に障害が起きた場合、他のＭＴＣ装置が、アルファＭＴＣ装置の活動を行うことができる。アルファＭＴＣ装置の障害の検出は、ネットワークにより、またはＭＴＣ装置により行うことができる。
【００４８】
周期的な登録プロセスは、全てのＭＴＣ装置に電源が投入された後に利用することができる（５０２）。登録は、ウェイクアップサイクル／スリープサイクル（５８０、５９０）に基づいて周期的に行われる。周期的な登録が開始された後、ＭＴＣ装置は、それがアルファＭＴＣ装置であるかどうかを判定する（５０４）。ＭＴＣ装置がアルファＭＴＣ装置である場合、無線リソースを取得することができ（５０６）、Ｍ２Ｍ（ｘ）登録プロセスを開始することができる（５０８）。アルファＭＴＣ装置の認可および認証を行うことができる（５１０）。
【００４９】
アルファＭＴＣ装置は、Ｍ２Ｍ（ｘ）登録および／または認可および認証プロセスの成功を判定する（５１２）。Ｍ２Ｍ（ｘ）登録プロセスおよび／または認可および認証プロセスに成功していない場合、登録および認証は、指定された回数だけ再試行することができる（５１４）。新しいアルファＭＴＣ装置は、指定された再試行数が尽きた後、指定することができる（５１６）。新しいアルファＭＴＣ装置に対する再試行数が尽きた場合、Ｍ２Ｍ（ｘ）登録および／または認可および認証プロセスを打ち切ることができる。あるいは、全ての指定されたアルファＭＴＣ装置に対する再試行数が尽きた場合、Ｍ２Ｍ（ｘ）登録および／または認可および認証プロセスを打ち切ることができる。
【００５０】
グループベースのＰ−ＴＭＳＩ（５１８）、Ｍ２Ｍ（ｘ）ベースのＩＰアドレス（５２０）およびユーザプレーンの無線リソース情報（５２２）を、Ｍ２Ｍ（ｘ）登録および／または認可および認証プロセスが成功した場合、取得することができる。アルファＭＴＣ装置は、ＵＲＩを使用してＭ２Ｍサービス登録を行うことができる（５２４）。ＵＲＩは、Ｍ２Ｍ（ｘ）アカウント番号に基づくことができる。アルファＭＴＣ装置は、アカウントベースのＵＲＩを用いてＭ２Ｍ（ｘ）サーバにアクセスし、データをアップロードすることができる（５２６）。制御情報更新が、アルファＭＴＣ装置により取得される（５２８）。制御情報は、コンフィギュレーションデータなどの、任意のタイプの制御情報とすることができる。
【００５１】
ＭＴＣ装置がアルファＭＴＣ装置である場合（５３０）、アルファＭＴＣ装置は、グループの最後のＭＴＣ装置がその情報をＭ２Ｍ（ｘ）サーバに送信するのを待つ（５３２）。最後のＭＴＣ装置がその情報を送信、またはアップロードした後、アルファＭＴＣ装置は、無線リソースを解放し、かつＩＰアドレスを解放することができる（５３４）。アルファＭＴＣ装置は、スリープサイクルに移行する（５８０）。
【００５２】
ＭＴＣ装置がアルファＭＴＣ装置ではない場合、ＭＴＣ装置は、Ｍ２Ｍ状態マシンを開始して、制御チャネルをリッスンすることができる（５３６）。アルファＭＴＣ装置の登録が成功裡に完了すると（５３８）、非アルファＭＴＣ装置のそれぞれは、グループベースのＰ−ＴＭＳＩ（５４０）、Ｍ２Ｍ（ｘ）ベースのＩＰアドレス（５４２）およびユーザプレーンの無線リソース情報（５４４）を取得することができる。上述したように、ＭＴＣ装置のグループ内の各ＭＴＣ装置は、同じ無線リソースおよび同じＩＰアドレスを使用し、そのデータを、同じＰ−ＴＭＳＩ／ＩＭＳＩを用いて送信することができる。各非アルファＭＴＣ装置は、その指定された送信時間を待つ（５４６）。送信時間は、ランダムな、事前に構成される、ポーリング関数、その識別子を用いるハッシュ関数に基づくものなどとすることができる。
【００５３】
非アルファＭＴＣ装置は、そのコンフィギュレーションデータなどにより、Ｍ２Ｍオペレータが、各非アルファＭＴＣ装置をＭ２Ｍサーバに登録する必要があるかどうかを検査することができる（５４８）。登録が必要である場合、各非アルファＭＴＣ装置は、ＵＲＩを使用してＭ２Ｍサービス登録を行うことができる（５２４）。ＵＲＩは、Ｍ２Ｍ（ｘ）アカウント番号に基づくことができる。非アルファＭＴＣ装置は、アカウントベースのＵＲＩを用いてＭ２Ｍ（ｘ）サーバにアクセスし、データをアップロードすることができる（５２６）。登録が必要ではない場合、各非アルファＭＴＣ装置は、アカウントベースのＵＲＩを用いてＭ２Ｍ（ｘ）サーバにアクセスし、データをアップロードすることができる（５２６）。各非アルファＭＴＣ装置は、その制御情報を更新して（５２８）、スリープサイクルに移行することができる（５８０）。スリープサイクルは、その後にウェイクアップサイクル（５９０）が行われ、その後、周期的な登録プロセスが再度開始する。本明細書で述べる場合、ウェイクアップサイクル（５９０）は、制御サイクルおよび報告サイクルを有することができる。ウェイクアップサイクルは、ネットワークにより、ＭＴＣ装置によりランダムに、事前に構成される、かつそれらの組合せによりスケジュールすることができる。
【００５４】
図６Ａおよび図６Ｂは、ＭＴＣに対して単一の登録プロセスを実施する例示的な流れ図６００である。登録は、システムに電源が投入されると１回行うことができる。このプロセスでは、１群のＭＴＣ装置は、同じセル、エリアまたは地理的位置に属することができる。グループは、３ＧＰＰ認可および認証のために、グループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩは、ＭＴＣ装置のグループ内でＭＴＣ装置を識別するための識別子として使用することができる。ＵＲＩはアカウント番号に基づくことができる。アカウント番号は、例えば、内線番号などのさらなる識別子とすることができる。
【００５５】
さらに、１つのＭＴＣ装置は、ＭＴＣ装置グループのために、例えば、ＩＭＳＩ接続手続きなどの登録を行うことができる。このＭＴＣ装置は、アルファＭＴＣ装置と呼ぶことができる。アルファＭＴＣ装置は、ネットワークにより、ランダムに、事前のコンフィギュレーションにより、またはそれらの何らかの組合せにより選択することができる。アルファＭＴＣ装置は、ＲＲＣ（無線リソース制御装置）リソース、Ｐ−ＴＭＳＩ、ＩＰアドレスなどを含むリソースを受け取ることができる。アルファＭＴＣ装置に障害が起きた場合、他のＭＴＣ装置が、アルファＭＴＣ装置の活動を行うことができる。アルファＭＴＣ装置の障害の検出は、ネットワークにより、またはＭＴＣ装置により行うことができる。
【００５６】
単一の登録プロセスは、全てのＭＴＣ装置への電源投入後に利用することができる（６０２）。単一の登録が開始された後、ＭＴＣ装置は、それがアルファＭＴＣ装置であるかどうかを判定する（６０４）。ＭＴＣ装置がアルファＭＴＣ装置である場合、無線リソースを取得することができ（６０６）、Ｍ２Ｍ（ｘ）登録プロセスを開始することができる（６０８）。アルファＭＴＣ装置の認可および認証を行うことができる（６１０）。
【００５７】
アルファＭＴＣ装置は、Ｍ２Ｍ（ｘ）登録および／または認可および認証プロセスの成功を判定する（６１２）、ただし、ｘはカウンタを表す。Ｍ２Ｍ（ｘ）登録プロセスおよび／または認可および認証プロセスに成功していない場合、登録および認証は、指定された回数だけ再試行することができる（６１４）。新しいアルファＭＴＣ装置は、指定された再試行数が尽きた後、指定することができる（６１６）。新しいアルファＭＴＣ装置に対する再試行数が尽きた場合、Ｍ２Ｍ（ｘ）登録および／または認可および認証プロセスを打ち切ることができる。あるいは、全ての指定されたアルファＭＴＣ装置に対する再試行数が尽きた場合、Ｍ２Ｍ（ｘ）登録および／または認可および認証プロセスを打ち切ることができる。
【００５８】
グループベースのＰ−ＴＭＳＩ（６１８）、Ｍ２Ｍ（ｘ）ベースのＩＰアドレス（６２０）およびユーザプレーンの無線リソース情報（６２２）を、Ｍ２Ｍ（ｘ）登録、および／または認可および認証プロセスが成功した場合、取得することができる。アルファＭＴＣ装置は、ＵＲＩを使用してＭ２Ｍサービス登録を行うことができる（６２４）。ＵＲＩは、Ｍ２Ｍ（ｘ）アカウント番号に基づくことができる。アルファＭＴＣ装置は、アカウントベースのＵＲＩを用いてＭ２Ｍ（ｘ）サーバにアクセスし、データをアップロードすることができる（６２６）。制御情報更新が、アルファＭＴＣ装置により取得される（６２８）。制御情報は、コンフィギュレーションデータなど、任意のタイプの制御情報とすることができる。
【００５９】
ＭＴＣ装置がアルファＭＴＣ装置である場合（６３０）、アルファＭＴＣ装置は、グループの最後のＭＴＣ装置がその情報をＭ２Ｍ（ｘ）サーバに送信するのを待つ（６３２）。最後のＭＴＣ装置がその情報を送信、またはアップロードした後、アルファＭＴＣ装置は、無線リソースおよびＩＰアドレスを解放するが、Ｍ２Ｍオペレータに登録された状態にとどまる（６３４）。アルファＭＴＣ装置はスリープサイクルに移行する（６６０）。
【００６０】
ＭＴＣ装置がアルファＭＴＣ装置ではない場合、ＭＴＣ装置は、Ｍ２Ｍ状態マシンを開始して、制御チャネルをリッスンすることができる（６３６）。アルファＭＴＣ装置の登録が成功裡に完了すると（６３８）、非アルファＭＴＣ装置のそれぞれは、グループベースのＰ−ＴＭＳＩ（６４０）、Ｍ２Ｍ（ｘ）ベースのＩＰアドレス（６４２）およびユーザプレーンの無線リソース情報（６４４）を取得することができる。上述したように、ＭＴＣ装置のグループ内の各ＭＴＣ装置は、同じ無線リソースおよび同じＩＰアドレスを使用して、そのデータを、同じＰ−ＴＭＳＩ／ＩＭＳＩを用いて送信することができる。各非アルファＭＴＣ装置は、その指定された送信時間を待つ（６４６）。送信時間は、ランダムな、事前に構成される、ポーリング関数、その識別子を用いるハッシュ関数に基づくものなどとすることができる。
【００６１】
非アルファＭＴＣ装置は、そのコンフィギュレーションデータなどにより、Ｍ２Ｍオペレータが、各非アルファＭＴＣ装置をＭ２Ｍサーバに登録する必要があるかどうかを検査することができる（６４８）。登録が必要である場合、各非アルファＭＴＣ装置は、ＵＲＩを使用してＭ２Ｍサービス登録を行うことができる（６２４）。ＵＲＩは、Ｍ２Ｍ（ｘ）アカウント番号に基づくことができる。非アルファＭＴＣ装置は、アカウントベースのＵＲＩを用いてＭ２Ｍ（ｘ）サーバにアクセスし、データをアップロードすることができる（６２６）。登録が必要ではない場合、各非アルファＭＴＣ装置は、アカウントベースのＵＲＩを用いてＭ２Ｍ（ｘ）サーバにアクセスし、データをアップロードすることができる（６２６）。各非アルファＭＴＣ装置は、その制御情報を更新して（６２８）、スリープサイクル（６６０）に移行することができる。
【００６２】
スリープサイクル（６６０）は、その後に周期的なウェイクアップサイクル（６６２）を行うことができる。ＭＴＣ装置は、周期的なウェイクアップサイクル中は起動しており、またシステム更新を求めて制御チャネルをリッスンすることができる。ウェイクアップサイクルは、ネットワークにより、ＭＴＣ装置によりランダムにスケジュールされる、事前に構成される、およびそれらの組合せとすることができる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上で何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。報告サイクルでは、制御は、ＩＰの上層でトラフィックチャネルシグナリングを用いて行うことができる。例えば、システムが、保守オペレーション、ソフトウェアの更新、または新しい情報／コンフィギュレーションのダウンロードを行う必要がある場合、これらのオペレーションは、装置がそのデータをシステムにアップロードした後、またはその前の報告期間中に行うことができる。個々のＭＴＣ装置には、報告サイクルの持続期間中、３ＧＰＰ内で異なるローカルのＩＰアドレスを割り振ることができる。グループが報告時間を低減するために複数の同時アクセスを可能にするように、さらなるＩＰアドレスを割り振ることもできる。
【００６３】
具体的には、各ＭＴＣ装置は、ウェイクアップサイクルが制御サイクルであるか、それとも報告サイクルであるかを判定する（６６４）。それが制御サイクルである場合、ＭＴＣ装置は、ページ／同報通信メッセージが上述されたように送られたかどうかを判定する（６６６）。ページ／同報通信メッセージが送られていない場合、ＭＴＣ装置は、スリープサイクルに戻り、かつ次のウェイクアップサイクルを待つ（６６２）。ページ／同報通信メッセージが送られており、グループ識別子（例えば、グループＭＳＩＳＤＮ）がグループのものと一致した場合、ＭＴＣ装置は、それがグループページであるかどうかを判定する（６６８）。それがグループページ／同報通信である場合、ＭＴＣ装置はアルファＭＴＣ装置であり（６７０）、グループページ／同報通信ではない場合、ＭＴＣ装置は、アルファＭＴＣ装置と同様に動作する（６７２）。ページ／同報通信中の情報は、単一の装置を指定することができるが、またはグループにアドレス指定することもできる。後者の場合、前に構成されたアルファ装置が応答することになる。他の装置（アルファではない）は、その送信開始を待つことになる。これは、システムのセットアップコンフィギュレーションに依存するはずである。いずれの場合においても、アルファもしくは動作するアルファＭＴＣ装置は、無線リソースを取得し（６７４）、Ｍ２Ｍ（ｘ）ベースのＩＰアドレスを取得し（６７６）、またユーザプレーンの無線リソース情報を取得することができる（６７８）。
【００６４】
アルファまたは動作するアルファＭＴＣ装置は、そのコンフィギュレーションデータなどにより、Ｍ２Ｍオペレータが、アルファまたは動作するアルファＭＴＣ装置をＭ２Ｍオペレータに登録する必要があるかどうかを検査することができる（６８０）。登録が必要である場合、アルファまたは動作するアルファＭＴＣ装置は、ＵＲＩを使用してＭ２Ｍサービス登録を行うことができる。いずれの場合においても、アルファまたは動作するアルファＭＴＣ装置は、アカウントベースのＵＲＩを用いてＭ２Ｍ（ｘ）サーバにアクセスし、データをアップロードすることができる（６８２）。アルファまたは動作するアルファＭＴＣ装置は、グループの最後のＭＴＣ装置が送信するのを待つ（６８４）。最後のＭＴＣ装置がその情報を送信、またはアップロードした後、アルファまたは動作するアルファＭＴＣ装置は、無線リソースおよびＩＰアドレスを解放するが、Ｍ２Ｍオペレータに登録された状態にとどまる（６８６）。アルファまたは動作するアルファＭＴＣ装置は、スリープサイクルに移行する（６６０）。
【００６５】
それが報告サイクルであり、かつＭＴＣ装置がアルファＭＴＣ装置である場合（６７０）、アルファＭＴＣ装置は、無線リソースを取得し（６７４）、Ｍ２Ｍ（ｘ）ベースのＩＰアドレスを取得し（６７６）、かつユーザプレーンの無線リソース情報を取得することができる（６７８）。アルファＭＴＣ装置は、そのコンフィギュレーションデータなどにより、Ｍ２Ｍオペレータが、アルファＭＴＣ装置をＭ２Ｍオペレータに登録する必要があるかどうかを検査することができる（６８０）。登録が必要である場合、アルファＭＴＣ装置は、ＵＲＩを使用してＭ２Ｍサービス登録を行うことができる。アルファＭＴＣ装置は、アカウントベースのＵＲＩを用いてＭ２Ｍ（ｘ）サーバにアクセスし、データをアップロードすることができる（６８２）。アルファＭＴＣ装置は、グループの最後のＭＴＣ装置が送信するのを待つ（６８４）。最後のＭＴＣ装置が、その情報を送信、またはアップロードした後、アルファＭＴＣ装置は、無線リソースおよびＩＰアドレスを解放できるが、Ｍ２Ｍオペレータに登録された状態にとどまる（６８６）。アルファＭＴＣ装置は、スリープサイクルに移行する（６６０）。
【００６６】
それが報告サイクルであり、かつＭＴＣ装置が非アルファＭＴＣ装置である場合（６８８）、非アルファＭＴＣ装置は、ユーザプレーンの無線リソース情報を取得する（６７８）。非アルファＭＴＣ装置は、そのコンフィギュレーションデータなどにより、Ｍ２Ｍオペレータが、各非アルファＭＴＣ装置をＭ２Ｍオペレータに登録する必要があるかどうかを検査することができる（６８０）。登録が必要である場合、各非アルファＭＴＣ装置は、ＵＲＩを使用してＭ２Ｍサービス登録を行うことができる。いずれの場合であっても、非アルファＭＴＣ装置は、アカウントベースのＵＲＩを用いてＭ２Ｍ（ｘ）サーバにアクセスし、データをアップロードすることができる（６８２）。非アルファＭＴＣ装置は、スリープサイクルに移行することができる（６６０）。
【００６７】
図７Ａおよび図７Ｂは、スリープサイクル中にＩＰ接続を解放するＭＴＣに対する例示的な登録プロセスを実施する例示的な流れ図７００である。登録は、システムの電源が投入されると１回行うことができる。このプロセスでは、１群のＭＴＣ装置は、同じセル、エリアまたは地理的位置に属することができる。グループは、３ＧＰＰ認可および認証のために、グループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩは、ＭＴＣ装置のグループ内のＭＴＣ装置を識別するための識別子として使用することができる。ＵＲＩはアカウント番号に基づくことができる。
【００６８】
さらに、第１のＭＴＣ装置は、ＭＴＣ装置グループのために、例えば、ＩＭＳＩ接続手続きなど、登録を実施することができる。第１のＭＴＣ装置は、ネットワークにより、ランダムに、ハッシュアルゴリズムで、事前のコンフィギュレーションにより、またはそれらの何らかの組合せにより選択することができる。第１のＭＴＣ装置は、ＲＲＣ（無線リソース制御装置）リソース、Ｐ−ＴＭＳＩ、ＩＰアドレスなどを含むリソースを受け取ることができる。第１のＭＴＣ装置に障害が起きた場合、他のＭＴＣ装置が、第１のＭＴＣ装置の活動を行うことができる。第１のＭＴＣ装置の障害の検出は、ネットワークにより、またはＭＴＣ装置により行うことができる。最後のＭＴＣ装置を、無線リソースおよびＩＰアドレスを解放し、Ｍ２Ｍとの登録を維持し、かつ現在のサイクルを終了させるために使用することができる。
【００６９】
登録プロセスは、全てのＭＴＣ装置に電源が投入された後に利用することができる（７０２）。登録が開始された後、ＭＴＣ装置は、それが第１のＭＴＣ装置かどうか判定する（７０４）。ＭＴＣ装置が第１のＭＴＣ装置である場合、無線リソースを取得することができ（７０６）、またＭ２Ｍ（ｘ）登録プロセスを開始することができる（７０８）。第１のＭＴＣ装置の認可および認証を行うことができる（７１０）。本明細書で述べる場合、ＭＴＣ装置は、制御／マスタ装置（アルファ）と、他のものへと分離することができる。この場合、複数のマスタ装置が存在することができ、１つの装置は、システムアクセスを開始し（第１のＭＴＣ）、他の装置は、オペレーションの最後に接続を終了し、かつリソースを解放する（最後の装置）。
【００７０】
第１のＭＴＣ装置は、Ｍ２Ｍ（ｘ）登録、および／または認可および認証プロセスの成功を判定する（７１２）。Ｍ２Ｍ（ｘ）登録プロセス、および／または認可および認証プロセスに成功していない場合、登録および認証は、指定された回数だけ再試行することができる（７１４）。新しい第１のＭＴＣ装置は、指定された再試行数が尽きた後、指定することができる（７１６）。新しい第１のＭＴＣ装置に対する再試行数が尽きた場合、Ｍ２Ｍ（ｘ）登録、および／または認可および認証プロセスを打ち切ることができる。あるいは、全ての指定された第１のＭＴＣ装置に対する再試行数が尽きた場合、Ｍ２Ｍ（ｘ）登録、および／または認可および認証プロセスを打ち切ることができる。
【００７１】
グループベースのＰ−ＴＭＳＩ（７１８）、Ｍ２Ｍ（ｘ）ベースのＩＰアドレス（７２０）およびユーザプレーンの無線リソース情報（７２２）を、Ｍ２Ｍ（ｘ）登録、および／または認可および認証プロセスが成功した場合、取得することができる。第１のＭＴＣ装置は、ＵＲＩまたはＵＲＬ（uniform resource locator）を用いて、Ｍ２Ｍサービス登録を行うことができる（７２４）。ＵＲＩは、Ｍ２Ｍ（ｘ）アカウント番号に基づくことができる。第１のＭＴＣ装置は、アカウントベースのＵＲＩまたはＵＲＬを用いてＭ２Ｍ（ｘ）サーバにアクセスし、データをアップロードすることができる（７２６）。制御情報更新が、第１のＭＴＣ装置により取得される（７２８）。制御情報は、コンフィギュレーションデータなど、任意のタイプの制御情報とすることができる。この場合、第１のＭＴＣ装置は最後のＭＴＣ装置ではないので（７３０）、第１のＭＴＣ装置はスリープサイクルに移行する（７６０）。
【００７２】
ＭＴＣ装置が第１のＭＴＣ装置ではない場合、ＭＴＣ装置は、Ｍ２Ｍ状態マシンを開始して、制御チャネルをリッスンすることができる（７３６）。第１のＭＴＣ装置の登録が成功裡に完了すると（７３８）、非第１のＭＴＣ装置のそれぞれは、グループベースのＰ−ＴＭＳＩ（７４０）、Ｍ２Ｍ（ｘ）ベースのＩＰアドレス（７４２）、およびユーザプレーンの無線リソース情報（７４４）を取得することができる。上述したように、ＭＴＣ装置のグループ内の各ＭＴＣ装置は、同じ無線リソースおよび同じＩＰアドレスを使用して、そのデータを、同じＰ−ＴＭＳＩ／ＩＭＳＩを用いて送信することができる。各非第１のＭＴＣ装置は、その指定された送信時間を待つ（７４６）。送信時間は、ランダムな、事前に構成される、ポーリング関数、その識別子を用いるハッシュ関数に基づくものなどとすることができる。非第１のＭＴＣ装置は、その指定された送信時間まで休止することができる。
【００７３】
非第１のＭＴＣ装置は、そのコンフィギュレーションデータなどにより、Ｍ２Ｍオペレータが、各非第１のＭＴＣ装置をＭ２Ｍサーバに登録する必要があるかどうかを検査することができる（７４８）。登録が必要である場合、各非第１のＭＴＣ装置は、ＵＲＩまたはＵＲＬを使用してＭ２Ｍサービス登録を行うことができる（７２４）。ＵＲＩは、Ｍ２Ｍ（ｘ）アカウント番号に基づくことができる。非第１のＭＴＣ装置は、アカウントベースのＵＲＩまたはＵＲＬを用いてＭ２Ｍ（ｘ）サーバにアクセスし、データをアップロードすることができる（７２６）。登録が必要ではない場合、各非第１のＭＴＣ装置は、アカウントベースのＵＲＩまたはＵＲＬを用いてＭ２Ｍ（ｘ）サーバにアクセスし、データをアップロードすることができる（７２６）。各非第１のＭＴＣ装置は、その制御情報を更新することができる（７２８）。非第１のＭＴＣ装置が最後のＭＴＣ装置ではない場合（７３０）、非第１のＭＴＣ装置は、スリープサイクルに移行することができる（７６０）。非第１のＭＴＣ装置が最後のＭＴＣ装置である場合、最後のＭＴＣ装置は、無線リソースおよびＩＰアドレスを解放することができるが、Ｍ２Ｍオペレータに登録された状態にとどまる（７３４）。最後のＭＴＣ装置は、スリープサイクルに移行することができる（７６０）。
【００７４】
スリープサイクル（７６０）は、その後に周期的なウェイクアップサイクル（７６２）を行うことができる。ＭＴＣ装置は、周期的なウェイクアップサイクル中は起動しており、またシステム更新を求めて制御チャネルをリッスンすることができる。ウェイクアップサイクルは、ネットワークにより、ＭＴＣ装置によりランダムにスケジュールされる、事前に構成される、およびそれらの組合せとすることができる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上で何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。Ｍ２Ｍ  ＡＳはまた、Ｍ２Ｍゲートウェイ、またはＭＴＣゲートウェイと呼ぶこともできる。報告サイクルでは、制御は、ＩＰの上層でトラフィックチャネルシグナリングを用いて行うことができる。例えば、ＭＴＣ装置は、サーバに接続することができ、また任意の更新または保守オペレーションに直接到達することができる。これらのオペレーションを行うために、別の時間を待つ必要はないはずである。個々のＭＴＣ装置は、報告サイクルの持続期間中、３ＧＰＰ内で異なるローカルのＩＰアドレスに割り振ることができる。
【００７５】
具体的には、各ＭＴＣ装置は、ウェイクアップサイクルが制御サイクルであるか、それとも報告サイクルであるかを判定する（７６４）。それが制御サイクルである場合は、ＭＴＣ装置は、ページメッセージが上述されたように送られたかどうかを判定する（７６６）。ページメッセージが送られていない場合、ＭＴＣ装置は、スリープサイクルに戻り、次のウェイクアップサイクルを待つ（７６２）。ページメッセージが送られている場合、ＭＴＣ装置は、それがグループページであるかどうかを判定する（７６８）。それがグループページである場合、ＭＴＣ装置は第１のＭＴＣ装置であり（７７０）、グループページではない場合、ＭＴＣ装置は、第１のＭＴＣ装置と同様に動作する（７７２）。いずれの場合においても、第１のもしくは動作する第１のＭＴＣ装置は、無線リソースを取得し（７７４）、Ｍ２Ｍ（ｘ）ベースのＩＰアドレスを取得し（７７６）、またユーザプレーンの無線リソース情報を取得することができる（７７８）。
【００７６】
第１のまたは動作する第１のＭＴＣ装置は、そのコンフィギュレーションデータなどにより、Ｍ２Ｍオペレータが、第１のまたは動作する第１のＭＴＣ装置をＭ２Ｍオペレータに登録する必要があるかどうかを検査することができる（７８０）。登録が必要である場合、第１のまたは動作する第１のＭＴＣ装置は、ＵＲＩまたはＵＲＬを使用してＭ２Ｍサービス登録を行うことができる。いずれの場合においても、第１のまたは動作する第１のＭＴＣ装置は、アカウントベースのＵＲＩまたはＵＲＬを用いてＭ２Ｍ（ｘ）サーバにアクセスし、データをアップロードすることができる（７８２）。第１のまたは動作する第１のＭＴＣ装置は、スリープサイクルに移行する（７６０）。
【００７７】
それが報告サイクルであり（７６４）、かつＭＴＣ装置が第１のＭＴＣ装置である場合（７７０）、第１のＭＴＣ装置は、無線リソースを取得し（７７４）、Ｍ２Ｍ（ｘ）ベースのＩＰアドレスを取得し（７７６）、かつユーザプレーンの無線リソース情報を取得することができる（７７８）。第１のＭＴＣ装置は、そのコンフィギュレーションデータなどにより、Ｍ２Ｍオペレータが、第１のＭＴＣ装置をＭ２Ｍオペレータに登録する必要があるかどうかを検査することができる（７８０）。登録が必要である場合、第１のＭＴＣ装置は、ＵＲＩまたはＵＲＬを使用してＭ２Ｍサービス登録を行うことができる。第１のＭＴＣ装置は、アカウントベースのＵＲＩまたはＵＲＬを用いてＭ２Ｍ（ｘ）サーバにアクセスし、データをアップロードすることができる（７８２）。第１のＭＴＣ装置は、スリープサイクルに移行することができる（７８４）。
【００７８】
それが報告サイクルであり、かつＭＴＣ装置が非第１のＭＴＣ装置である場合（７８８）、非第１のＭＴＣ装置は、ユーザプレーンの無線リソース情報を取得する（７７８）。非第１のＭＴＣ装置は、そのコンフィギュレーションデータなどにより、Ｍ２Ｍオペレータが、各非第１のＭＴＣ装置をＭ２Ｍオペレータに登録する必要があるかどうかを検査することができる（７８０）。登録が必要である場合、各非第１のＭＴＣ装置は、ＵＲＩまたはＵＲＬを使用してＭ２Ｍサービス登録を行うことができる。いずれの場合であっても、非第１のＭＴＣ装置は、アカウントベースのＵＲＩまたはＵＲＬを用いてＭ２Ｍ（ｘ）サーバにアクセスし、データをアップロードすることができる（７８２）。非第１のＭＴＣ装置は、スリープサイクルに移行することができる（７８４）。非第１のＭＴＣ装置が、最後のＭＴＣ装置である場合、第１のものではないが最後のＭＴＣ装置は、無線リソースおよびＩＰアドレスを解放するが、Ｍ２Ｍオペレータに登録した状態に維持されうる（７８６）。非第１のＭＴＣ装置が最後のＭＴＣ装置ではない場合、非第１のＭＴＣ装置はスリープサイクルに移行することができる。
【００７９】
図８Ａおよび図８Ｂは、スリープサイクル中にＩＰ接続を維持するＭＴＣに対して例示的な登録プロセスを実施する例示的な流れ図８００である。登録は、システムに電源が投入されると１回行うことができる。このプロセスでは、１群のＭＴＣ装置は、同じセル、エリアまたは地理的位置に属することができる。グループは、３ＧＰＰ認可および認証のためのグループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩを、ＭＴＣ装置のグループ内でＭＴＣ装置を識別するための識別子として使用することができる。ＵＲＩは、アカウント番号に基づくことができる。
【００８０】
さらに、第１のＭＴＣ装置は、ＭＴＣ装置グループのために、例えば、ＩＭＳＩ接続手続きなど、登録を行うことができる。第１のＭＴＣ装置は、ネットワークにより、ランダムに、ハッシュアルゴリズムで、事前のコンフィギュレーションにより、またはそれらの何らかの組合せにより選択することができる。第１のＭＴＣ装置は、ＲＲＣ（無線リソース制御装置）リソース、Ｐ−ＴＭＳＩ、ＩＰアドレスなどを含むリソースを受け取ることができる。第１のＭＴＣ装置に障害が起きた場合、他のＭＴＣ装置が、第１のＭＴＣ装置の活動を行うことができる。第１のＭＴＣ装置の障害の検出は、ネットワークにより、またはＭＴＣ装置により行うことができる。最後のＭＴＣ装置は、無線リソースを解放し、ＩＰアドレスと、Ｍ２Ｍオペレータへの登録とを維持するために使用することができる。
【００８１】
登録プロセスは、全てのＭＴＣ装置に電源が投入された後に利用することができる（８０２）。登録が開始された後、ＭＴＣ装置は、それが第１のＭＴＣ装置であるかどうかを判定する（８０４）。ＭＴＣ装置が第１のＭＴＣ装置である場合、無線リソースを取得することができ（８０６）、Ｍ２Ｍ（ｘ）登録プロセスを開始することができる（８０８）。第１のＭＴＣ装置の認可および認証を行うことができる（８１０）。
【００８２】
第１のＭＴＣ装置は、Ｍ２Ｍ（ｘ）登録、および／または認可および認証プロセスの成功を判定する（８１２）。Ｍ２Ｍ（ｘ）登録プロセス、および／または認可および認証プロセスに成功していない場合、登録および認証は、指定された回数だけ再試行することができる（８１４）。新しい第１のＭＴＣ装置は、指定された再試行数が尽きた後、指定することができる（８１６）。新しい第１のＭＴＣ装置に対する再試行数が尽きた場合、Ｍ２Ｍ（ｘ）登録、および／または認可および認証プロセスを打ち切ることができる。あるいは、全ての指定された第１のＭＴＣ装置に対する再試行数が尽きた場合、Ｍ２Ｍ（ｘ）登録、および／または認可および認証プロセスを打ち切ることができる。
【００８３】
グループベースのＰ−ＴＭＳＩ（８１８）、Ｍ２Ｍ（ｘ）ベースのＩＰアドレス（８２０）、およびユーザプレーンの無線リソース情報（８２２）を、Ｍ２Ｍ（ｘ）登録、および／または認可および認証プロセスが成功した場合、取得することができる。第１のＭＴＣ装置は、ＵＲＩまたはＵＲＬを用いてＭ２Ｍサービス登録を行うことができる（８２４）。ＵＲＩは、Ｍ２Ｍ（ｘ）アカウント番号に基づくことができる。第１のＭＴＣ装置は、アカウントベースのＵＲＩまたはＵＲＬを用いてＭ２Ｍ（ｘ）サーバにアクセスし、データをアップロードすることができる（８２６）。制御情報更新が、第１のＭＴＣ装置により取得される（８２８）。制御情報は、コンフィギュレーションデータなど、任意のタイプの制御情報とすることができる。この場合、第１のＭＴＣ装置は、最後のＭＴＣ装置ではないので（８３０）、第１のＭＴＣ装置はスリープサイクルに移行する（８６０）。
【００８４】
ＭＴＣ装置が第１のＭＴＣ装置ではない場合、ＭＴＣ装置は、Ｍ２Ｍ状態マシンを開始して、制御チャネルをリッスンすることができる（８３６）。第１のＭＴＣ装置の登録が成功裡に完了すると（８３８）、非第１のＭＴＣ装置のそれぞれは、グループベースのＰ−ＴＭＳＩ（８４０）、Ｍ２Ｍ（ｘ）ベースのＩＰアドレス（８４２）およびユーザプレーンの無線リソース情報（８４４）を取得することができる。上述したように、ＭＴＣ装置のグループ内の各ＭＴＣ装置は、同じ無線リソースおよび同じＩＰアドレスを使用し、そのデータを、同じＰ−ＴＭＳＩ／ＩＭＳＩを用いて送信することができる。各非第１のＭＴＣ装置は、その指定された送信時間を待つ（８４６）。送信時間は、ランダムである、事前に構成される、ポーリング関数、その識別子を用いるハッシュ関数に基づくものなどとすることができる。非第１のＭＴＣ装置は、その指定された送信時間になるまで、休止することができる。
【００８５】
非第１のＭＴＣ装置は、そのコンフィギュレーションデータなどにより、Ｍ２Ｍオペレータが、各非第１のＭＴＣ装置をＭ２Ｍサーバに登録する必要があるかどうかを検査することができる（８４８）。登録が必要である場合、各非第１のＭＴＣ装置は、ＵＲＩまたはＵＲＬを使用してＭ２Ｍサービス登録を行うことができる（８２４）。ＵＲＩはＭ２Ｍ（ｘ）アカウント番号に基づくことができる。非第１のＭＴＣ装置は、アカウントベースのＵＲＩまたはＵＲＬを用いてＭ２Ｍ（ｘ）サーバにアクセスし、データをアップロードすることができる（８２６）。登録が必要ではない場合、各非第１のＭＴＣ装置は、アカウントベースのＵＲＩまたはＵＲＬを用いてＭ２Ｍ（ｘ）サーバにアクセスし、データをアップロードすることができる（８２６）。各非第１のＭＴＣ装置は、その制御情報を更新することができる（８２８）。非第１のＭＴＣ装置が最後のＭＴＣ装置ではない場合（８３０）、非第１のＭＴＣ装置は、スリープサイクルに移行することができる（８６０）。非第１のＭＴＣ装置が最後のＭＴＣ装置である場合、最後のＭＴＣ装置は、無線リソースを解放し、かつＩＰアドレスと、Ｍ２Ｍオペレータへの登録とを維持することができる（８３４）。最後のＭＴＣ装置はスリープサイクルに移行することができる（８６０）。
【００８６】
スリープサイクル（８６０）は、その後に周期的なウェイクアップサイクル（８６２）を行うことができる。ＭＴＣ装置は、周期的なウェイクアップサイクル中は起動しており、またシステム更新を求めて制御チャネルでリッスンすることができる。ウェイクアップサイクルは、ネットワークにより、ＭＴＣ装置によりランダムにスケジュールされる、事前に構成される、およびそれらの組合せとすることができる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上の何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。Ｍ２Ｍ  ＡＳはまた、Ｍ２ＭゲートウェイまたはＭＴＣゲートウェイと呼ぶこともできる。報告サイクルでは、制御は、ＩＰの上層でトラフィックチャネルシグナリングを用いて行うことができる。個々のＭＴＣ装置には、報告サイクルの持続期間中、３ＧＰＰ内で異なるローカルＩＰアドレスを割り振ることができる。
【００８７】
具体的には、各ＭＴＣ装置は、ウェイクアップサイクルが制御サイクルであるか、それとも報告サイクルであるかを判定する（８６４）。それが制御サイクルである場合、ＭＴＣ装置は、ページメッセージが上述されたように送られたかどうかを判定する（８６６）。ページメッセージが送られていない場合、ＭＴＣ装置は、スリープサイクルに戻り、次のウェイクアップサイクルを待つ（８６２）。ページメッセージが送られていた場合、ＭＴＣ装置は、それがグループページであるかどうかを判定する（８６８）。それがグループページである場合、ＭＴＣ装置は、第１のＭＴＣ装置であり（８７０）、それがグループページではない場合、ＭＴＣ装置は、第１のＭＴＣ装置として動作する（８７２）。いずれの場合においても、第１のまたは動作する第１のＭＴＣ装置は、無線リソースを取得し（８７４）、ユーザプレーンの無線リソース情報を取得することができる（８７８）。
【００８８】
第１のまたは動作する第１のＭＴＣ装置は、そのコンフィギュレーションデータなどにより、Ｍ２Ｍオペレータが、第１のまたは動作する第１のＭＴＣ装置をＭ２Ｍオペレータに登録する必要があるかどうかを検査することができる（８８０）。登録が必要である場合、第１のまたは動作する第１のＭＴＣ装置は、ＵＲＩまたはＵＲＬを使用してＭ２Ｍサービス登録を行うことができる。いずれの場合においても、第１のまたは動作する第１のＭＴＣ装置は、アカウントベースのＵＲＩまたはＵＲＬを用いてＭ２Ｍ（ｘ）サーバにアクセスし、データをアップロードすることができる（８８２）。第１のまたは動作する第１のＭＴＣ装置は、スリープサイクルに移行することができる（８６０）。
【００８９】
それが報告サイクルであり（８６４）、かつＭＴＣ装置が第１のＭＴＣ装置である場合（８７０）、第１のＭＴＣ装置は、無線リソースを取得し（８７４）、かつユーザプレーンの無線リソース情報を取得することができる（８７８）。第１のＭＴＣ装置は、そのコンフィギュレーションデータなどにより、Ｍ２Ｍオペレータが、第１のＭＴＣ装置をＭ２Ｍオペレータに登録する必要があるかどうかを検査することができる（８８０）。登録が必要である場合、第１のＭＴＣ装置は、ＵＲＩまたはＵＲＬを使用してＭ２Ｍサービス登録を行うことができる。第１のＭＴＣ装置は、アカウントベースのＵＲＩまたはＵＲＬを用いてＭ２Ｍ（ｘ）サーバにアクセスし、データをアップロードすることができる（８８２）。第１のＭＴＣ装置は、スリープサイクルに移行することができる（８８４）。
【００９０】
それが報告サイクルであり、かつＭＴＣ装置が非第１のＭＴＣ装置である場合（８８８）、非第１のＭＴＣ装置は、ユーザプレーンの無線リソース情報を取得することができる（８７８）。非第１のＭＴＣ装置は、そのコンフィギュレーションデータなどにより、Ｍ２Ｍオペレータが、各非第１のＭＴＣ装置をＭ２Ｍオペレータに登録する必要があるかどうかを検査することができる（８８０）。登録が必要である場合、各非第１のＭＴＣ装置は、ＵＲＩまたはＵＲＬを使用してＭ２Ｍサービス登録を行うことができる。いずれの場合であっても、非第１のＭＴＣ装置は、アカウントベースのＵＲＩまたはＵＲＬを用いてＭ２Ｍ（ｘ）サーバにアクセスし、データをアップロードすることができる（８８２）。非第１のＭＴＣ装置は、スリープサイクルに移行することができる（８８４）。非第１のＭＴＣ装置が、最後のＭＴＣ装置である場合、第１のものではないが最後のＭＴＣ装置は、無線リソースを解放し、かつＩＰアドレスと、Ｍ２Ｍオペレータへの登録とを維持することができる。（８８６）。非第１のＭＴＣ装置が最後のＭＴＣ装置ではない場合、非第１のＭＴＣ装置はスリープサイクルに移行することができる。
【００９１】
図９Ａおよび図９Ｂは、スリープサイクル中にＩＰ接続を維持し、かつＭＢＭＳ（multimedia broadcast multicast services）を使用するＭＴＣに対して例示的な登録プロセスを実施する例示的な流れ図９００である。登録は、システムに電源が投入されると１回行うことができる。このプロセスでは、１群のＭＴＣ装置は、同じセル、エリアまたは地理的位置に属することができる。グループは、３ＧＰＰ認可および認証のためのグループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩを、ＭＴＣ装置のグループ内でＭＴＣ装置を識別するための識別子として使用することができる。ＵＲＩは、アカウント番号に基づくことができる。
【００９２】
さらに、第１のＭＴＣ装置は、ＭＴＣ装置グループのために、例えば、ＩＭＳＩ接続手続きなどの登録を行うことができる。第１のＭＴＣ装置は、ネットワークにより、ランダムに、ハッシュアルゴリズムで、事前のコンフィギュレーションにより、またはそれらの何らかの組合せにより選択することができる。第１のＭＴＣ装置は、ＲＲＣ（無線リソース制御装置）リソース、Ｐ−ＴＭＳＩ、ＩＰアドレスなどを含むリソースを受け取ることができる。第１のＭＴＣ装置に障害が起きた場合、他のＭＴＣ装置が、第１のＭＴＣ装置の活動を行うことができる。第１のＭＴＣ装置の障害の検出は、ネットワークにより、またはＭＴＣ装置により行うことができる。最後のＭＴＣ装置は、無線リソースを解放し、ＩＰアドレスと、Ｍ２Ｍオペレータへの登録とを維持するために使用することができる。
【００９３】
登録プロセスは、全てのＭＴＣ装置に電源が投入された後に利用することができる（９０２）。登録が開始された後、ＭＴＣ装置は、それが第１のＭＴＣ装置であるかどうかを判定する（９０４）。ＭＴＣ装置が第１のＭＴＣ装置である場合、無線リソースを取得することができ（９０６）、またＭ２Ｍ（ｘ）登録プロセスを開始することができる（９０８）。第１のＭＴＣ装置の認可および認証を行うことができる（９１０）。
【００９４】
第１のＭＴＣ装置は、Ｍ２Ｍ（ｘ）登録、および／または認可および認証プロセスの成功を判定する（９１２）。Ｍ２Ｍ（ｘ）登録プロセス、および／または認可および認証プロセスに成功していない場合、登録および認証は、指定された回数だけ再試行することができる（９１４）。新しい第１のＭＴＣ装置は、指定された再試行数が尽きた後、指定することができる（９１６）。新しい第１のＭＴＣ装置に対する再試行数が尽きた場合、Ｍ２Ｍ（ｘ）登録、および／または認可および認証プロセスを打ち切ることができる。あるいは、全ての指定された第１のＭＴＣ装置に対する再試行数が尽きた場合、Ｍ２Ｍ（ｘ）登録、および／または認可および認証プロセスを打ち切ることができる。
【００９５】
グループベースのＰ−ＴＭＳＩ（９１８）、Ｍ２Ｍ（ｘ）ベースのＩＰアドレス（９２０）およびユーザプレーンの無線リソース情報（９２２）を、Ｍ２Ｍ（ｘ）登録、および／または認可および認証プロセスが成功した場合、取得することができる。第１のＭＴＣ装置は、ＵＲＩまたはＵＲＬを用いて、Ｍ２Ｍサービス登録を行うことができる（９２４）。ＵＲＩは、Ｍ２Ｍ（ｘ）アカウント番号に基づくことができる。第１のＭＴＣ装置は、アカウントベースのＵＲＩまたはＵＲＬを用いてＭ２Ｍ（ｘ）サーバにアクセスし、データをアップロードすることができる（９２６）。制御情報更新が、第１のＭＴＣ装置により取得される（９２８）。制御情報は、コンフィギュレーションデータなど、任意のタイプの制御情報とすることができる。この場合、第１のＭＴＣ装置は、最後のＭＴＣ装置ではないので（９３０）、第１のＭＴＣ装置はスリープサイクルに移行する（９６０）。
【００９６】
ＭＴＣ装置が第１のＭＴＣ装置ではない場合、ＭＴＣ装置は、Ｍ２Ｍ状態マシンを開始して、制御チャネルをリッスンすることができる（９３６）。第１のＭＴＣ装置の登録が成功裡に完了すると（９３８）、非第１のＭＴＣ装置のそれぞれは、グループベースのＰ−ＴＭＳＩ（９４０）、Ｍ２Ｍ（ｘ）ベースのＩＰアドレス（９４２）、およびユーザプレーンの無線リソース情報（９４４）を取得することができる。上述したように、ＭＴＣ装置のグループ内の各ＭＴＣ装置は、同じ無線リソースおよび同じＩＰアドレスを使用し、そのデータを、同じＰ−ＴＭＳＩ／ＩＭＳＩを用いて送信することができる。各非第１のＭＴＣ装置は、その指定された送信時間を待つ（９４６）。送信時間は、ランダムである、事前に構成される、ポーリング関数、その識別子を用いるハッシュ関数に基づくものなどとすることができる。非第１のＭＴＣ装置は、その指定された送信時間になるまで、休止することができる。
【００９７】
非第１のＭＴＣ装置は、そのコンフィギュレーションデータなどにより、Ｍ２Ｍオペレータが、各非第１のＭＴＣ装置をＭ２Ｍサーバに登録する必要があるかどうかを検査することができる（９４８）。登録が必要である場合、各非第１のＭＴＣ装置は、ＵＲＩまたはＵＲＬを使用してＭ２Ｍサービス登録を行うことができる（９２４）。ＵＲＩはＭ２Ｍ（ｘ）アカウント番号に基づくことができる。非第１のＭＴＣ装置は、アカウントベースのＵＲＩまたはＵＲＬを用いてＭ２Ｍ（ｘ）サーバにアクセスし、データをアップロードすることができる（９２６）。登録が必要ではない場合、各非第１のＭＴＣ装置は、アカウントベースのＵＲＩまたはＵＲＬを用いてＭ２Ｍ（ｘ）サーバにアクセスして、データをアップロードすることができる（９２６）。各非第１のＭＴＣ装置は、その制御情報を更新することができる（９２８）。非第１のＭＴＣ装置が最後のＭＴＣ装置ではない場合（９３０）、非第１のＭＴＣ装置はスリープサイクルに移行することができる（９６０）。非第１のＭＴＣ装置が最後のＭＴＣ装置である場合、最後のＭＴＣ装置は、無線リソースを解放し、かつＩＰアドレスと、Ｍ２Ｍオペレータへの登録とを維持することができる（９３４）。最後のＭＴＣ装置はスリープサイクルに移行することができる（９６０）。
【００９８】
スリープサイクル（９６０）は、その後に周期的なウェイクアップサイクル（９６２）を行うことができる。ＭＴＣ装置は、周期的なウェイクアップサイクル中は起動しており、またシステム更新を求めて、ＭＢＭＳ、または事前に構成されたＭ２ＭのＩＰ同報通信またはマルチキャストチャネルをリッスンすることができる。ウェイクアップサイクルは、ネットワークにより、ＭＴＣ装置によりランダムにスケジュールされる、事前に構成される、およびそれらの組合せとすることができる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上で何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。Ｍ２Ｍ  ＡＳはまた、Ｍ２ＭゲートウェイまたはＭＴＣゲートウェイと呼ぶこともできる。報告サイクルでは、制御は、ＩＰの上層でトラフィックチャネルシグナリングを用いて行うことができる。個々のＭＴＣ装置には、報告サイクルの持続期間中、３ＧＰＰ内で異なるローカルのＩＰアドレスを割り振ることができる。
【００９９】
具体的には、各ＭＴＣ装置は、ウェイクアップサイクルが制御サイクルであるか、それとも報告サイクルであるかを判定する（９６４）。それが制御サイクルである場合、ＭＴＣ装置は、ページメッセージが上述されたように送られたかどうかを判定する（９６６）。ページメッセージが送られていない場合、ＭＴＣ装置は、スリープサイクルに戻り、次のウェイクアップサイクルを待つ（９６２）。ページメッセージが送られていた場合、ＭＴＣ装置は、それがグループページであるかどうかを判定する（９６８）。それがグループページである場合、ＭＴＣ装置は第１のＭＴＣ装置であり（９７０）、それがグループページではない場合、ＭＴＣ装置は第１のＭＴＣ装置として動作する（９７２）。いずれの場合においても、第１のまたは動作する第１のＭＴＣ装置は、無線リソースを取得し（９７４）、かつユーザプレーンの無線リソース情報を取得することができる（９７８）。
【０１００】
第１のまたは動作する第１のＭＴＣ装置は、そのコンフィギュレーションデータなどにより、Ｍ２Ｍオペレータが、第１のまたは動作する第１のＭＴＣ装置をＭ２Ｍオペレータに登録する必要があるかどうかを検査することができる（９８０）。登録が必要である場合、第１のまたは動作する第１のＭＴＣ装置は、ＵＲＩまたはＵＲＬを使用してＭ２Ｍサービス登録を行うことができる。いずれの場合においても、第１のまたは動作する第１のＭＴＣ装置は、アカウントベースのＵＲＩまたはＵＲＬを用いてＭ２Ｍ（ｘ）サーバにアクセスし、データをアップロードすることができる（９８２）。第１のまたは動作する第１のＭＴＣ装置は、スリープサイクルに移行することができる（９６０）。
【０１０１】
それが報告サイクルであり（９６４）、かつＭＴＣ装置が第１のＭＴＣ装置である場合（９７０）、第１のＭＴＣ装置は、無線リソースを取得し（９７４）、かつユーザプレーンの無線リソース情報を取得することができる（９７８）。第１のＭＴＣ装置は、そのコンフィギュレーションデータなどにより、Ｍ２Ｍオペレータが、第１のＭＴＣ装置をＭ２Ｍオペレータに登録する必要があるかどうかを検査することができる（９８０）。登録が必要である場合、第１のＭＴＣ装置は、ＵＲＩまたはＵＲＬを使用してＭ２Ｍサービス登録を行うことができる。第１のＭＴＣ装置は、アカウントベースのＵＲＩまたはＵＲＬを用いてＭ２Ｍ（ｘ）サーバにアクセスし、データをアップロードすることができる（９８２）。第１のＭＴＣ装置は、スリープサイクルに移行することができる（９８４）。
【０１０２】
それが報告サイクルであり、かつＭＴＣ装置が非第１のＭＴＣ装置である場合（９８８）、非第１のＭＴＣ装置は、ユーザプレーンの無線リソース情報を取得する（９７８）。非第１のＭＴＣ装置は、そのコンフィギュレーションデータなどにより、Ｍ２Ｍオペレータが、各非第１のＭＴＣ装置をＭ２Ｍオペレータに登録する必要があるかどうかを検査することができる（９８０）。登録が必要である場合、各非第１のＭＴＣ装置は、ＵＲＩまたはＵＲＬを使用してＭ２Ｍサービス登録を行うことができる。いずれの場合においても、非第１のＭＴＣ装置は、アカウントベースのＵＲＩまたはＵＲＬを用いてＭ２Ｍ（ｘ）サーバにアクセスし、データをアップロードすることができる（９８２）。非第１のＭＴＣ装置は、スリープサイクルに移行することができる（９８４）。非第１のＭＴＣ装置が最後のＭＴＣ装置である場合、第１のものではないが最後のＭＴＣ装置は、無線リソースを解放し、かつＩＰアドレスと、Ｍ２Ｍオペレータへの登録とを維持することができる。（９８６）。非第１のＭＴＣ装置が最後のＭＴＣ装置ではない場合、非第１のＭＴＣ装置はスリープサイクルに移行することができる。
【０１０３】
図１０は、ＭＴＣ装置のグループに対する例示的な報告サイクル１０００である。報告サイクルでは、ＭＴＣ装置は、そのデータをネットワークに送信することができる。ＭＴＣ装置は、ネットワークにより指定された一連の順序でこれを行うことができる、または複数のＭＴＣ装置は、ランダムにシステムにアクセスして、そのデータを報告することができる。
【０１０４】
例として、４つのＭＴＣ装置グループが示されており、ＭＴＣ装置グループ１０１０、ＭＴＣ装置グループ１０１５、ＭＴＣ装置グループ１０２０、およびＭＴＣ装置グループ１０２５として示すことができる。各ＭＴＣ装置グループは、複数のＭＴＣ装置を含むことができる。例えば、ＭＴＣ装置グループ１０１０は、ＭＴＣ装置１〜Ｊを含むことができ、ＭＴＣ装置グループ１０１５は、ＭＴＣ装置１〜Ｋを含むことができ、ＭＴＣ装置グループ１０２０は、ＭＴＣ装置１〜Ｍを含むことができ、またＭＴＣ装置グループ１０２５は、ＭＴＣ装置１〜Ｎを含むことができる。各ＭＴＣ装置グループは、セル識別子およびＩＭＳＩ番号に関連付けることができる。例えば、ＭＴＣ装置グループ１０１０は、セル＃ＹおよびＩＭＳＩ＃ｓに関連付けることができ、ＭＴＣ装置グループ１０１５は、セル＃ｖおよびＩＭＳＩ＃ｚに関連付けることができ、ＭＴＣ装置グループ１０２０は、セル＃ｑおよびＩＭＳＩ＃ｐに関連付けることができ、かつＭＴＣ装置グループ１０２５は、セル＃１およびＩＭＳＩ＃ｘに関連付けることができる。図１０はまた、Ｍ２Ｍ  ＡＳ１０４０と通信できるＭ２Ｍユーザ１０３０を示しており、Ｍ２Ｍ  ＡＳ１０４０は、コアネットワーク１０５０と通信することができる。ＭＴＣ装置グループ１０１０、１０１５、１０２０、および１０２５は、ＣＮ１０５０と通信することができる。
【０１０５】
動作的には、Ｍ２Ｍユーザ１０３０は、何らかのＭＴＣ装置からの情報を求める要求をＭ２Ｍ  ＡＳ１０４０に送ることができる（１０３５）。要求は、周期的なトリガ、イベントベースのトリガ、他の同様のトリガ、またはそれらの組合せとすることができる。Ｍ２Ｍユーザ１０３０に応じて、Ｍ２Ｍ  ＡＳ１０４０は、ＣＮ１０５０にサービス要求を送る、または時間ベースのイベントをトリガすることができる（１０４５）。サービス要求またはトリガは、セルのリストもしくはセル識別子、ＩＭＳＩのリスト、および時間ウィンドウを含むことができる。例えば、時間ウィンドウは、グループが起動する時間とすることができ、また送信時間は、送信するために個々のＭＴＣに割り振られた時間であり、その時間の後、休止に移行する。ＣＮ１０５０は、ＩＭＳＩ＃などのグループ識別子を有する個々のセルにシステムページを送ることができ、またどのＭＴＣ装置がマスタＭＴＣ装置でありうるかを示す情報を含むこともできる。本明細書で論ずる場合、マスタＭＴＣ装置は、ＭＴＣ装置グループのためにＩＭＳＩ接続プロセスを実施することができる。マスタＭＴＣ装置は、ＲＲＣ（無線リソース制御装置）リソース、Ｐ−ＴＭＳＩ、ＩＰアドレスなどを含むリソースを受け取ることができる。
【０１０６】
図１１は、ＭＴＣ装置のグループに対する制御期間イベント、または制御サイクルの例である。制御サイクル中、ネットワークは、動作方法を構成するために、制御データをＭＴＣ装置に送ることができる。
【０１０７】
例として、４つのＭＴＣ装置グループが示されており、ＭＴＣ装置グループ１１１０、ＭＴＣ装置グループ１１１５、ＭＴＣ装置グループ１１２０およびＭＴＣ装置グループ１１２５として示すことができる。各ＭＴＣ装置グループは、複数のＭＴＣ装置を含むことができる。例えば、ＭＴＣ装置グループ１１１０は、ＭＴＣ装置１〜Ｊを含むことができ、ＭＴＣ装置グループ１１１５は、ＭＴＣ装置１〜Ｋを含むことができ、ＭＴＣ装置グループ１１２０は、ＭＴＣ装置１〜Ｍを含むことができ、またＭＴＣ装置グループ１１２５は、ＭＴＣ装置１〜Ｎを含むことができる。各ＭＴＣ装置グループは、セル識別子およびＩＭＳＩ番号に関連付けることができる。例えば、ＭＴＣ装置グループ１１１０は、セル＃ＹおよびＩＭＳＩ＃ｓに関連付けることができ、ＭＴＣ装置グループ１１１５は、セル＃ｖおよびＩＭＳＩ＃ｚに関連付けることができ、ＭＴＣ装置グループ１１２０は、セル＃ｑおよびＩＭＳＩ＃ｐに関連付けることができ、かつＭＴＣ装置グループ１１２５は、セル＃１およびＩＭＳＩ＃ｘに関連付けることができる。図１１はまた、Ｍ２Ｍ  ＡＳ１１４０と通信できるＭ２Ｍユーザ１１３０を示しており、Ｍ２Ｍ  ＡＳ１１４０は、コアネットワーク１１５０と通信することができる。ＭＴＣ装置グループ１１１０、１１１５、１１２０、および１１２５は、ＣＮ１１５０と通信することができる。
【０１０８】
動作的には、Ｍ２Ｍユーザ１１３０は、制御情報更新をトリガするための要求をＭ２Ｍ  ＡＳ１１４０に送ることができる（１１３５）。要求は、周期的なトリガ、イベントベースのトリガ、他の同様のトリガ、またはそれらの組合せとすることができる。Ｍ２Ｍユーザ１１３０に応じて、Ｍ２Ｍ  ＡＳ１１４０は、ＣＮ１１５０にサービス要求を送る、または時間ベースのイベントをトリガすることができる（１１４５）。サービス要求またはトリガは、セルのリストもしくはセル識別子、ＩＭＳＩのリスト、ＭＴＣ装置の識別子および時間ウィンドウを含むことができる。ＣＮ１１５０は、セル識別子、ＩＭＳＩ＃などのグループ識別子を有するシステムページを送ることができ、またＭＴＣ装置識別子を含むこともできる。
【０１０９】
図１２Ａおよび図１２Ｂは、スリープサイクル中にＩＰ接続を解放することを含む、ＭＴＣに対してネットワークベースの登録を実施する例示的な流れ図１２００である。登録は、システムに電源が投入されると１回行うことができる。このプロセスでは、１群のＭＴＣ装置は、同じセル、エリアまたは地理的位置に属することができる。グループは、３ＧＰＰ認可および認証のために、グループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩは、ＭＴＣ装置のグループ内のＭＴＣ装置を識別するための識別子として使用することができる。ＵＲＩはアカウント番号に基づくことができる。
【０１１０】
さらに、１つのＭＴＣ装置は、ＭＴＣ装置グループのために、例えば、ＩＭＳＩ接続手続きなどの登録を実施することができる。このＭＴＣ装置は、マスタＭＴＣ装置と呼ぶことができる。マスタＭＴＣ装置は、ネットワークにより選択することができる。マスタＭＴＣ装置は、ＲＲＣ（無線リソース制御装置）リソース、Ｐ−ＴＭＳＩ、ＩＰアドレスなどを含むリソースを受け取ることができる。マスタＭＴＣ装置に障害が起きた場合、他のＭＴＣ装置が、マスタＭＴＣ装置の活動を行うことができる。マスタＭＴＣ装置の障害の検出は、ネットワークにより、マスタＭＴＣ装置それ自体により、かつ／またはグループ外の他のＭＴＣ装置により行うことができる。
【０１１１】
登録プロセスは、全てのＭＴＣ装置に電源が投入された後に利用可能になる（１２０２）。ネットワークは、マスタＭＴＣ装置の識別を含むシステムページを送ることができる（１２０３）。登録が開始された後、ＭＴＣ装置は、それがマスタＭＴＣ装置かどうか判定する（１２０４）。ＭＴＣ装置がマスタＭＴＣ装置である場合、無線リソースを取得することができ（１２０６）、またＭ２Ｍ（ｘ）登録プロセスを開始することができる（１２０８）。マスタＭＴＣ装置の認可および認証を行うことができる（１２１０）。
【０１１２】
マスタＭＴＣ装置は、Ｍ２Ｍ（ｘ）登録および／または認可および認証プロセスの成功を判定する（１２１２）。Ｍ２Ｍ（ｘ）登録プロセスおよび／または認可および認証プロセスに成功していない場合、登録および認証は、指定された回数だけ再試行することができる（１２１４）。ネットワークは、新しいマスタＭＴＣ装置を含む他のシステムページを送ることにより、他のマスタＭＴＣ装置を選択することができる（１２１６）。
【０１１３】
グループベースのＰ−ＴＭＳＩ（１２１８）、Ｍ２Ｍ（ｘ）ベースのＩＰアドレス（１２２０）およびユーザプレーンの無線リソース情報（１２２２）を、Ｍ２Ｍ（ｘ）登録、および／または認可および認証プロセスが成功した場合、取得することができる。マスタＭＴＣ装置は、ＵＲＩまたはＵＲＬを使用して、Ｍ２Ｍサービス登録を行うことができる（１２２４）。ＵＲＩは、Ｍ２Ｍ（ｘ）アカウント番号に基づくことができる。マスタＭＴＣ装置は、アカウントベースのＵＲＩまたはＵＲＬを用いてＭ２Ｍ（ｘ）サーバにアクセスし、データをアップロードすることができる（１２２６）。制御情報更新が、マスタＭＴＣ装置により取得される（１２２８）。制御情報は、コンフィギュレーションデータなど、任意のタイプの制御情報とすることができる。
【０１１４】
マスタＭＴＣ装置が、その情報をＭ２Ｍ（ｘ）サーバに送信するグループ最後のＭＴＣ装置である場合（１２３０）、マスタＭＴＣ装置は、無線リソースおよびＩＰアドレスを解放することができるが、Ｍ２Ｍオペレータへのその登録状態を維持する（１２３４）。マスタＭＴＣ装置は、スリープサイクルに移行する（１２６０）。マスタＭＴＣ装置が、最後のＭＴＣ装置ではない場合、マスタＭＴＣ装置はスリープサイクルに入ることができる（１２６０）。
【０１１５】
ＭＴＣ装置がマスタＭＴＣ装置ではない場合、ＭＴＣ装置は、Ｍ２Ｍ状態マシンを開始して、制御チャネルをリッスンすることができる（１２３６）。マスタＭＴＣ装置の登録が成功裡に完了すると（１２３８）、各ＭＴＣ装置は、グループベースのＰ−ＴＭＳＩ（１２４０）、Ｍ２Ｍ（ｘ）ベースのＩＰアドレス（１２４２）およびユーザプレーンの無線リソース情報（１２４４）を取得することができる。上述したように、ＭＴＣ装置のグループ内の各ＭＴＣ装置は、同じ無線リソースおよび同じＩＰアドレスを使用して、そのデータを、同じＰ−ＴＭＳＩ／ＩＭＳＩを用いて送信することができる。各ＭＴＣ装置は、その指定された送信時間を待つ（１２４６）。送信時間は、ランダムである、事前に構成される、ポーリング関数、その識別子を用いるハッシュ関数に基づくものなどとすることができる。ＭＴＣ装置は、その指定された送信時間まで休止することができる。
【０１１６】
ＭＴＣ装置は、そのコンフィギュレーションデータなどにより、Ｍ２Ｍオペレータが、各ＭＴＣ装置をＭ２Ｍサーバに登録する必要があるかどうかを検査することができる（１２４８）。登録が必要である場合、各ＭＴＣ装置は、ＵＲＩまたはＵＲＬを使用してＭ２Ｍサービス登録を行うことができる（１２２４）。ＵＲＩは、Ｍ２Ｍ（ｘ）アカウント番号に基づくことができる。ＭＴＣ装置は、アカウントベースのＵＲＩまたはＵＲＬを用いてＭ２Ｍ（ｘ）サーバにアクセスし、データをアップロードすることができる（１２２６）。登録が必要ではない場合、各非アルファＭＴＣ装置は、アカウントベースのＵＲＩまたはＵＲＬを用いてＭ２Ｍ（ｘ）サーバにアクセスし、データをアップロードすることができる（１２２６）。各ＭＴＣ装置は、その制御情報をアップロードすることができる（１２２８）。
【０１１７】
ＭＴＣ装置が、その情報をＭ２Ｍ（ｘ）サーバに送信するグループ最後のＭＴＣ装置である場合（１２３０）、ＭＴＣ装置は、無線リソースおよびＩＰアドレスを解放することができるが、Ｍ２Ｍオペレータへのその登録状態を維持する（１２３４）。ＭＴＣ装置は、スリープサイクルに移行する（１２６０）。ＭＴＣ装置が最後のＭＴＣ装置ではない場合、ＭＴＣ装置はスリープサイクルに入ることができる（１２６０）。
【０１１８】
スリープサイクル（１２６０）は、その後に周期的なウェイクアップサイクル（１２６２）を行うことができる。ＭＴＣ装置は、周期的なウェイクアップサイクル中は起動しており、またシステム更新を求めて制御チャネルでリッスンすることができる。ウェイクアップサイクルは、ネットワークにより、ＭＴＣ装置によりランダムにスケジュールされるが、事前に構成する、またそれらの組合せとすることもできる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上で何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。報告サイクルでは、制御は、ＩＰの上層でトラフィックチャネルシグナリングを用いて行うことができる。個々のＭＴＣ装置には、報告サイクルの持続期間中、３ＧＰＰ内で異なるローカルのＩＰアドレスを割り振ることができる。
【０１１９】
具体的には、各ＭＴＣ装置は、ウェイクアップサイクルが制御サイクルであるか、それとも報告サイクルであるかを判定する（１２６４）。それが制御サイクルである場合は、ＭＴＣ装置は、ページメッセージが上述されたように送られたかどうかを判定する（１２６６）。ページメッセージが送られていない場合、ＭＴＣ装置は、スリープサイクルに戻り、次のウェイクアップサイクルを待つ（１２６２）。ページメッセージが送られていた場合、ＭＴＣ装置は、それがグループページであるかどうかを判定する（１２６８）。それがグループページである場合、ページングメッセージ中の情報に基づいて、マスタＭＴＣ装置を選択する／識別することができるが、またはＭＴＣ装置は第２のページを待つことができる（１２７０）。それがグループページではない、またはマスタＭＴＣ装置が選択されていた場合、ＭＴＣ装置（マスタＭＴＣ装置とすることができる）は、無線リソース（１２７４）、Ｍ２Ｍ（ｘ）ベースのＩＰアドレスを取得し（１２７６）、かつユーザプレーンの無線リソース情報を取得することができる（１２７８）。
【０１２０】
ＭＴＣ装置は、そのコンフィギュレーションデータなどにより、Ｍ２Ｍオペレータが、ＭＴＣ装置をＭ２Ｍオペレータに登録する必要があるかどうかを検査することができる（１２８０）。登録が必要である場合、ＭＴＣ装置は、ＵＲＩまたはＵＲＬを使用してＭ２Ｍサービス登録を行うことができる。いずれの場合においても、ＭＴＣ装置は、アカウントベースのＵＲＩまたはＵＲＬを用いてＭ２Ｍ（ｘ）サーバにアクセスして、データをアップロードすることができる（１２８２）。ＭＴＣ装置が最後のＭＴＣ装置である場合、ＭＴＣ装置は、無線リソースおよびＩＰアドレスを解放できるが、Ｍ２Ｍオペレータへの登録は維持する（１２８６）。ＭＴＣ装置はスリープサイクルに入ることができる（１２６０）。ＭＴＣ装置が最後のＭＴＣ装置ではない場合、ＭＴＣ装置はスリープサイクルに入ることができる（１２６０）。
【０１２１】
それが報告サイクルである場合（１２６５）、マスタＭＴＣ装置を、ページングメッセージ中の情報に基づいて選択する／識別することができるが、またはＭＴＣ装置は、第２のページを待つことができる（１２７０）。ＭＴＣ装置（マスタＭＴＣ装置とすることができる）は、無線リソース（１２７４）、Ｍ２Ｍ（ｘ）ベースのＩＰアドレス（１２７６）を取得し、かつユーザプレーンの無線リソース情報を取得することができる（１２７８）。
【０１２２】
ＭＴＣ装置は、そのコンフィギュレーションデータなどにより、Ｍ２Ｍオペレータが、ＭＴＣ装置をＭ２Ｍオペレータに登録する必要があるかどうかを検査することができる（１２８０）。登録が必要である場合、ＭＴＣ装置は、ＵＲＩまたはＵＲＬを使用してＭ２Ｍサービス登録を行うことができる。いずれの場合においても、ＭＴＣ装置は、アカウントベースのＵＲＩまたはＵＲＬを用いてＭ２Ｍ（ｘ）サーバにアクセスし、データをアップロードすることができる（１２８２）。ＭＴＣ装置が最後のＭＴＣ装置である場合、ＭＴＣ装置は、無線リソースおよびＩＰアドレスを解放することができるが、Ｍ２Ｍオペレータへの登録は維持する（１２８６）。ＭＴＣ装置は、スリープサイクルに入ることができる（１２６０）。ＭＴＣ装置が最後のＭＴＣ装置ではない場合、ＭＴＣ装置は、スリープサイクルに入ることができる（１２６０）。
【０１２３】
図１３Ａおよび図１３Ｂは、スリープサイクル中にＩＰ接続を維持することを含むＭＴＣに対してネットワークベースの登録を実施する例示的な流れ図１３００である。登録は、システムに電源が投入されると１回行うことができる。このプロセスでは、１群のＭＴＣ装置は、同じセル、エリアまたは地理的位置に属することができる。グループは、３ＧＰＰ認可および認証のために、グループベースのＩＭＳＩを使用することができ、また登録プロセスは、正しくないＩＭＳＩがＭＴＣ装置により提供された場合、拒否されうる。ＭＴＣ装置のグループ内の個々のＭＴＣ装置は、同じ無線リソースおよび同じＩＰアドレスを使用し、そのデータを、同じＰ−ＴＭＳＩ／ＩＭＳＩを用いて送信することができる。個々のＵＲＩは、ＭＴＣ装置のグループ内でＭＴＣ装置を識別するための識別子として使用することができる。ＵＲＩはアカウント番号に基づくことができる。
【０１２４】
さらに、１つのＭＴＣ装置は、ＭＴＣ装置グループのために、例えば、ＩＭＳＩ接続手続きなど、登録を実施することができる。このＭＴＣ装置は、マスタＭＴＣ装置と呼ぶことができる。マスタＭＴＣ装置は、ネットワークにより選択することができる。マスタＭＴＣ装置は、ＲＲＣ（無線リソース制御装置）リソース、Ｐ−ＴＭＳＩ、ＩＰアドレスなどを含むリソースを受け取ることができる。マスタＭＴＣ装置に障害が起きた場合、他のＭＴＣ装置が、マスタＭＴＣ装置の活動を行うことができる。マスタＭＴＣ装置の障害の検出は、ネットワークにより、マスタＭＴＣ装置それ自体により、かつ／またはグループ外の他のＭＴＣ装置により行うことができる。
【０１２５】
登録プロセスは、全てのＭＴＣ装置に電源が投入された後に利用可能になる（１３０２）。ネットワークは、マスタＭＴＣ装置の識別を含むシステムページを送ることができる（１３０３）。登録が開始された後、ＭＴＣ装置は、それがマスタＭＴＣ装置かどうか判定する（１３０４）。ＭＴＣ装置がマスタＭＴＣ装置である場合、無線リソースを取得することができ（１３０６）、またＭ２Ｍ（ｘ）登録プロセスを開始することができる（１３０８）。マスタＭＴＣ装置の認可および認証を行うことができる（１３１０）。
【０１２６】
マスタＭＴＣ装置は、Ｍ２Ｍ（ｘ）登録および／または認可および認証プロセスの成功を判定する（１３１２）。Ｍ２Ｍ（ｘ）登録プロセスおよび／または認可および認証プロセスに成功していない場合、登録および認証は、指定された回数だけ再試行することができる（１３１４）。ネットワークは、新しいマスタＭＴＣ装置を含む他のシステムページを送ることにより、他のマスタＭＴＣ装置を選択することができる（１３１６）。
【０１２７】
グループベースのＰ−ＴＭＳＩ（１３１８）、Ｍ２Ｍ（ｘ）ベースのＩＰアドレス（１３２０）およびユーザプレーンの無線リソース情報（１３２２）を、Ｍ２Ｍ（ｘ）登録および／または認可および認証プロセスが成功した場合、取得することができる。マスタＭＴＣ装置は、ＵＲＩまたはＵＲＬを使用してＭ２Ｍサービス登録を行うことができる（１３２４）。ＵＲＩは、Ｍ２Ｍ（ｘ）アカウント番号に基づくことができる。マスタＭＴＣ装置は、アカウントベースのＵＲＩまたはＵＲＬを用いてＭ２Ｍ（ｘ）サーバにアクセスし、データをアップロードすることができる（１３２６）。制御情報更新が、マスタＭＴＣ装置により取得される（１３２８）。制御情報は、コンフィギュレーションデータなど、任意のタイプの制御情報とすることができる。
【０１２８】
マスタＭＴＣ装置が、その情報をＭ２Ｍ（ｘ）サーバに送信するグループ最後のＭＴＣ装置である場合（１３３０）、マスタＭＴＣ装置は、無線リソースを解放することができるが、ＩＰアドレスと、Ｍ２Ｍオペレータへのその登録状態とを維持する（１３３４）。マスタＭＴＣ装置は、スリープサイクルに移行する（１３６０）。マスタＭＴＣ装置が最後のＭＴＣ装置ではない場合、マスタＭＴＣ装置はスリープサイクルに入ることができる（１３６０）。
【０１２９】
ＭＴＣ装置がマスタＭＴＣ装置ではない場合、ＭＴＣ装置は、Ｍ２Ｍ状態マシンを開始して、制御チャネルをリッスンすることができる（１３３６）。マスタＭＴＣ装置の登録が成功裡に完了すると（１３３８）、各ＭＴＣ装置は、グループベースのＰ−ＴＭＳＩ（１３４０）、Ｍ２Ｍ（ｘ）ベースのＩＰアドレス（１３４２）、およびユーザプレーンの無線リソース情報（１３４４）を取得することができる。上述したように、ＭＴＣ装置のグループ内の各ＭＴＣ装置は、同じ無線リソースおよび同じＩＰアドレスを使用して、そのデータを、同じＰ−ＴＭＳＩ／ＩＭＳＩを用いて送信することができる。各ＭＴＣ装置は、その指定された送信時間を待つ（１３４６）。送信時間は、ランダムである、事前に構成される、ポーリング関数、その識別子を用いるハッシュ関数に基づくものなどとすることができる。ＭＴＣ装置は、その指定された送信時間まで休止することができる。
【０１３０】
ＭＴＣ装置は、そのコンフィギュレーションデータなどにより、Ｍ２Ｍオペレータが、各ＭＴＣ装置をＭ２Ｍサーバに登録する必要があるかどうかを検査することができる（１３４８）。登録が必要である場合、各ＭＴＣ装置は、ＵＲＩまたはＵＲＬを使用してＭ２Ｍサービス登録を行うことができる（１３２４）。ＵＲＩは、Ｍ２Ｍ（ｘ）アカウント番号に基づくことができる。ＭＴＣ装置は、アカウントベースのＵＲＩまたはＵＲＬを用いてＭ２Ｍ（ｘ）サーバにアクセスし、データをアップロードすることができる（１３２６）。登録が必要ではない場合、各非アルファＭＴＣ装置は、アカウントベースのＵＲＩまたはＵＲＬを用いてＭ２Ｍ（ｘ）サーバにアクセスし、データをアップロードすることができる（１３２６）。各ＭＴＣ装置は、その制御情報を更新することができる（１３２８）。
【０１３１】
ＭＴＣ装置が、その情報をＭ２Ｍ（ｘ）サーバに送信するグループ最後のＭＴＣ装置である場合（１３３０）、ＭＴＣ装置は、無線リソースを解放するが、ＩＰアドレスと、Ｍ２Ｍオペレータへの登録状態とを維持する（１３３４）。ＭＴＣ装置は、スリープサイクルへと移行する（１３６０）。ＭＴＣ装置が最後のＭＴＣ装置ではない場合、ＭＴＣ装置はスリープサイクルに入ることができる（１３６０）。
【０１３２】
スリープサイクル（１３６０）は、その後に周期的なウェイクアップサイクル（１３６２）を行うことができる。ＭＴＣ装置は、周期的なウェイクアップサイクル中は起動しており、またシステム更新を求めて、制御チャネルまたはＩＰマルチキャストをリッスンすることができる。ウェイクアップサイクルは、ネットワークにより、ＭＴＣ装置によりランダムにスケジュールされるが、事前に構成する、またそれらの組合せとすることもできる。ネットワークによるポーリングは、制御チャネルシグナリング、またはトラフィックチャネル帯域内シグナリングを用いて行うことができる。ウェイクアップサイクルは、制御サイクルと報告サイクルを有することができる。ＭＴＣ装置グループが起動している制御サイクルでは、ＭＴＣ装置は、３ＧＰＰシステムの制御チャネルに再度登録する必要はなく、制御チャネル上で何らかの更新を待つことができる。制御サイクル中に、ＩＰアドレスを割り振ることも、割り振らないこともできる。各個々のＭＴＣ装置は、ＩＭＳＩ／Ｐ−ＴＭＳＩ＋アカウント番号を用いるページング／同報通信メッセージを使用して更新することができる。ページングされ、接続するように命令された場合、個々のＭＴＣ装置は、Ｍ２Ｍアクセスサーバ（Ｍ２Ｍ  ＡＳ）に接続するために、ＲＲＣ接続およびＩＰ割振りを要求するシステムアクセスを行うことができる。報告サイクルでは、制御は、ＩＰの上層でトラフィックチャネルシグナリングを用いて行うことができる。個々のＭＴＣ装置には、報告サイクルの持続期間中、３ＧＰＰ内で異なるローカルのＩＰアドレスを割り振ることができる。
【０１３３】
具体的には、各ＭＴＣ装置は、ウェイクアップサイクルが制御サイクルであるか、それとも報告サイクルであるかを判定する（１３６４）。それが制御サイクルである場合は、ＭＴＣ装置は、ページメッセージが上述されたように送られたかどうかを判定する（１３６６）。ページメッセージが送られていない場合、ＭＴＣ装置は、スリープサイクルに戻り、かつ次のウェイクアップサイクルを待つ（１３６２）。ページメッセージが送られていた場合、ＭＴＣ装置は、それがグループページであるかどうかを判定する（１３６８）。それがグループページである場合、ページングメッセージ中の情報に基づいて、マスタＭＴＣ装置を選択する／識別することができるが、またはＭＴＣ装置は第２のページを待つことができる（１３７０）。それがグループページではない、またはマスタＭＴＣ装置が選択されていた場合、ＭＴＣ装置（マスタＭＴＣ装置とすることができる）は、無線リソース（１３７４）、およびユーザプレーンの無線リソース情報（１３７８）を取得することができる。
【０１３４】
ＭＴＣ装置は、そのコンフィギュレーションデータなどにより、Ｍ２Ｍオペレータが、ＭＴＣ装置をＭ２Ｍオペレータに登録する必要があるかどうかを検査することができる（１３８０）。登録が必要である場合、ＭＴＣ装置は、ＵＲＩまたはＵＲＬを使用してＭ２Ｍサービス登録を行うことができる。いずれの場合においても、ＭＴＣ装置は、アカウントベースのＵＲＩまたはＵＲＬを用いてＭ２Ｍ（ｘ）サーバにアクセスし、データをアップロードすることができる（１３８２）。ＭＴＣ装置が最後のＭＴＣ装置である場合、ＭＴＣ装置は、無線リソースを解放することができるが、ＩＰアドレスと、Ｍ２Ｍオペレータへのその登録とを維持する（１３８６）。ＭＴＣ装置は、スリープサイクルに入ることができる（１３６０）。ＭＴＣ装置が最後のＭＴＣ装置ではない場合、ＭＴＣ装置は、スリープサイクルに入ることができる（１３６０）。
【０１３５】
それが報告サイクルである場合（１３６５）、マスタＭＴＣ装置を、ページングメッセージ中の情報に基づいて選択する／識別することができるが、またはＭＴＣ装置は、第２のページを待つことができる（１３７０）。ＭＴＣ装置（マスタＭＴＣ装置とすることができる）は、無線リソースを取得し（１３７４）、かつユーザプレーンの無線リソース情報を取得することができる（１３７８）。
【０１３６】
ＭＴＣ装置は、そのコンフィギュレーションデータなどにより、Ｍ２Ｍオペレータが、ＭＴＣ装置をＭ２Ｍオペレータに登録する必要があるかどうかを検査することができる（１３８０）。登録が必要である場合、ＭＴＣ装置は、ＵＲＩまたはＵＲＬを使用してＭ２Ｍサービス登録を行うことができる。いずれの場合においても、ＭＴＣ装置は、アカウントベースのＵＲＩまたはＵＲＬを用いてＭ２Ｍ（ｘ）サーバにアクセスし、データをアップロードすることができる（１３８２）。ＭＴＣ装置が最後のＭＴＣ装置である場合、ＭＴＣ装置は、無線リソースを解放するが、ＩＰアドレスと、Ｍ２Ｍオペレータへのその登録とは維持することができる（１３８６）。ＭＴＣ装置は、スリープサイクルに入ることができる（１３６０）。ＭＴＣ装置が最後のＭＴＣ装置ではない場合、ＭＴＣ装置は、スリープサイクルに入ることができる（１３６０）。
【０１３７】
実施形態
１．無線通信で使用するための方法であって、Ｍ２Ｍ（マシンツーマシン）装置に対して周期的な登録を提供するステップを含む方法。
【０１３８】
２．ＭＴＣが、オペレータドメインの内側に位置する、実施形態１の方法。
【０１３９】
３．ＭＴＣサーバにより、ＡＰＩを介してＭＴＣと通信するステップをさらに含む、前記実施形態のいずれかに記載の方法。
【０１４０】
４．オペレータドメインの外側にＭＴＣを配置するステップをさらに含む、前記実施形態のいずれかに記載の方法。
【０１４１】
５．ＭＴＣがＭＴＣユーザに結合される、前記実施形態のいずれかに記載の方法。
【０１４２】
６．ＭＴＣのグループが、ＭＴＣサーバとＡＰＩを介して通信するオペレータドメインを通して通信する、前記実施形態のいずれかに記載の方法。
【０１４３】
７．移動端末装置が、互いに直接通信する、前記実施形態のいずれかに記載の方法。
【０１４４】
８．ウェイクアップサイクルに基づいて、登録を周期的に行うステップをさらに含む、前記実施形態のいずれかに記載の方法。
【０１４５】
９．ウェイクアップサイクルを、制御サイクルと報告サイクルに分割するステップをさらに含む、前記実施形態のいずれかに記載の方法。
【０１４６】
１０．全てのＭＴＣに電源を投入することにより周期的な登録を実施するステップをさらに含む、前記実施形態のいずれかに記載の方法。
【０１４７】
１１．ネットワークにより、ランダムに、事前構成により、または組合せによりアルファＭＴＣを規定するステップをさらに含む、前記実施形態のいずれかに記載の方法。
【０１４８】
１２．アルファＭＴＣにより、ＭＴＣのためにＩＭＳＩ接続を行うステップをさらに含む、前記実施形態のいずれかに記載の方法。
【０１４９】
１３．アルファＭＴＣにより、ＲＲＣリソース、Ｐ−ＴＭＳＩおよびＩＰアドレスを含むリソースを受け取るステップをさらに含む、前記実施形態のいずれかに記載の方法。
【０１５０】
１４．アルファＭＴＣの障害中に、非アルファＭＴＣによりアルファＭＴＣの活動を実施するステップをさらに含む、前記実施形態のいずれかに記載の方法。
【０１５１】
１５．３ＧＰＰのアクセス認可および認証のために、グループベースのＩＭＳＩを用いるステップをさらに含む、前記実施形態のいずれかに記載の方法。
【０１５２】
１６．認可および認証が成功しなかった場合、所定の回数だけ認可および認証を再試行するステップをさらに含む、前記実施形態のいずれかに記載の方法。
【０１５３】
１７．認可および認証するための所定の試行数が尽きた場合、認可および認証を打ち切るステップをさらに含む、前記実施形態のいずれかに記載の方法。
【０１５４】
１８．特定のセル／エリアに関連していないグループＩＭＳＩが、関連付けることを試みる場合、認可および認証を拒否するステップをさらに含む、前記実施形態のいずれかに記載の方法。
【０１５５】
１９．認可および認証に成功すると、グループベースのＰ−ＴＭＳＩを取得するステップをさらに含む、前記実施形態のいずれかに記載の方法。
【０１５６】
２０．ＶＨＴ周波数再使用情報レポート中に、パラメータ、ルール、ポリシ、機構、および共存のための規制情報を含むステップをさらに含む、前記実施形態のいずれかに記載の方法。
【０１５７】
２１．個々のＭＴＣにより同様の無線リソースおよびＩＰを使用して、データを送信するステップをさらに含む、前記実施形態のいずれかに記載の方法。
【０１５８】
２２．ユーザプレーンの無線リソース情報を取得するステップをさらに含む、前記実施形態のいずれかに記載の方法。
【０１５９】
２３．ＵＲＩを使用してＭ２Ｍサービス登録を行うステップをさらに含む、前記実施形態のいずれかに記載の方法。
【０１６０】
２４．アカウントベースのＵＲＩを用いてＭ２Ｍサーバにアクセスするステップをさらに含む、前記実施形態のいずれかに記載の方法。
【０１６１】
２５．アルファＭＴＣが選択されない場合、スリープサイクルへと移行するステップをさらに含む、前記実施形態のいずれかに記載の方法。
【０１６２】
２６．全てのＭＴＣ登録情報を送信すると、無線リソースおよびＩＰアドレスを解放するステップをさらに含む、前記実施形態のいずれかに記載の方法。
【０１６３】
２７．マシンツーマシン無線通信の単一の登録のための方法であって、ＷＴＲＵグループとして共通の地理的エリアに属しており、ネットワークアクセスの認可および／または認証のためにグループベースのＩＭＳＩを受け取るＷＴＲＵを備える方法。
【０１６４】
２８．オペレーションのためにスリープサイクルおよびウェイクサイクルを使用するステップをさらに含み、ウェイクサイクルは、制御サイクルおよび報告サイクルへと分割される、前記実施形態のいずれかに記載の方法。
【０１６５】
２９．登録が、システムに電源が投入されると１回行われる、前記実施形態のいずれかに記載の方法。
【０１６６】
３０．制御サイクル中に、ＷＴＲＵグループが起動している場合、ＷＴＲＵは、ネットワーク制御チャネルに再度登録する必要がなく、制御チャネル上で何らかの更新を待つステップをさらに含む、前記実施形態のいずれかに記載の方法。
【０１６７】
３１．ＩＰアドレスが制御サイクル中に割り振られる、前記実施形態のいずれかに記載の方法。
【０１６８】
３２．ＩＰアドレスが制御サイクル中に割り振られない、前記実施形態のいずれかに記載の方法。
【０１６９】
３３．各ＷＴＲＵが、ＩＭＳＩ／Ｐ−ＴＭＳＩ＋アカウント番号を用いたページング／同報通信メッセージを用いてシステム更新を受け取る、前記実施形態のいずれかに記載の方法。
【０１７０】
３４．ＷＴＲＵがページングされ、接続するように命令された場合、ＷＴＲＵは、ＲＲＣ接続およびＩＰ割振りを求める要求によりシステムアクセス要求を行い、マシンツーマシンアクセスサーバ（Ｍ２Ｍ  ＡＳ）に接続することができる、前記実施形態のいずれかに記載の方法。
【０１７１】
３５．報告期間中にＷＴＲＵが動作している場合、ＩＰの上層でトラフィックチャネルシグナリングにより制御信号を受け取るステップをさらに含む、前記実施形態のいずれかに記載の方法。
【０１７２】
３６．ＷＴＲＵが属している以外の地理的エリアまたはセルから到来するグループＩＭＳＩの受信に応じて登録を拒否するステップをさらに含む、前記実施形態のいずれかに記載の方法。
【０１７３】
３７．ＷＴＲＵグループのためにＩＭＳＩ接続を行うようにアルファＷＴＲＵとして選択されたＷＴＲＵをさらに備え、アルファＷＴＲＵが、ＲＲＣリソース、Ｐ−ＴＭＳＩおよびＩＰアドレスの少なくとも１つを受け取る、前記実施形態のいずれかに記載の方法。
【０１７４】
３８．アルファＷＴＲＵは、ネットワークによりランダムに、事前のコンフィギュレーション設定により、またはそれらの組合せにより選択される、前記実施形態のいずれかに記載の方法。
【０１７５】
３９．他の指定されたアルファＷＴＲＵに障害がある場合、ＷＴＲＵが、新しいアルファＷＴＲＵとして選択されることをさらに含む、前記実施形態のいずれかに記載の方法。
【０１７６】
４０．アルファＷＴＲＵの障害が、ネットワークまたはＷＴＲＵにより検出される、前記実施形態のいずれかに記載の方法。
【０１７７】
４１．報告の持続期間中、ＷＴＲＵは、ＷＴＲＵグループに関して一意の、ネットワーク内のローカルなＩＰアドレスに割り振られる、前記実施形態のいずれかに記載の方法。
【０１７８】
４２．ＩＰアクセスが、ＷＴＲＵによりランダムに、事前のコンフィギュレーション設定により、ネットワークにより、またはそれらの任意の組合せでスケジュールされる、前記実施形態のいずれかに記載の方法。
【０１７９】
４３．ＷＴＲＵが、制御チャネルシグナリング、またはトラフィックチャネル帯域内シグナリングを介して、ネットワークによるポーリングを受信する、前記実施形態のいずれかに記載の方法。
【０１８０】
４４．Ｍ２ＭのＩＰ接続オペレーションをさらに含む、前記実施形態のいずれかに記載の方法。
【０１８１】
４５．ＩＰ接続を解放して、または解放せずに、スリープサイクルを使用するステップをさらに含む、前記実施形態のいずれかに記載の方法。
【０１８２】
４６．ＷＴＲＵが、Ｍ２Ｍ通信で使用されるＭＴＣ装置である、前記実施形態のいずれかに記載の方法。
【０１８３】
４７．ＭＴＣ装置が、セルまたはエリア使用グループに属している、前記実施形態のいずれかに記載の方法。
【０１８４】
４８．ＭＴＣ装置のセルまたはエリア使用グループは、３ＧＰＰのアクセス認可および認証のために、ＩＭＳＩに基づいている、前記実施形態のいずれかに記載の方法。
【０１８５】
４９．ＭＴＣ装置のウェイクアップサイクルは、制御サイクルと報告サイクルに分割される、前記実施形態のいずれかに記載の方法。
【０１８６】
５０．ＭＴＣグループのウェイクアップに対する制御サイクルは、３ＧＰＰシステム制御チャネルに再度登録することなく、制御チャネル上で何らかの更新を待つ、前記実施形態のいずれかに記載の方法。
【０１８７】
５１．ＩＰアドレスは、制御サイクル中に割り振られる、前記実施形態のいずれかに記載の方法。
【０１８８】
５２．ＩＰアドレスは、制御サイクル中には割り振られない、前記実施形態のいずれかに記載の方法。
【０１８９】
５３．個々のＭＴＣ装置は、ＩＭＳＩ／Ｐ−ＴＭＳＩおよびアカウント番号を有するページングメッセージを用いて更新される、前記実施形態のいずれかに記載の方法。
【０１９０】
５４．個々のＭＴＣ装置は、ＩＭＳＩ／Ｐ−ＴＭＳＩおよびアカウント番号を有する同報通信メッセージを用いて更新される、前記実施形態のいずれかに記載の方法。
【０１９１】
５５．個々のＭＴＣ装置は、ページングされ、接続するように命令された場合、ＲＲＣ接続、およびＩＰ割振りを要求するシステムアクセスを行って、Ｍ２Ｍアクセスサーバ（Ｍ２Ｍ  ＡＳ）に接続することになる、前記実施形態のいずれかに記載の方法。
【０１９２】
５６．制御は、報告期間中に、ＩＰの上層でトラフィックチャネルシグナリングを用いて行われる、前記実施形態のいずれかに記載の方法。
【０１９３】
５７．ＭＴＣグループＩＭＳＩは特定のセルまたはエリアと関連付けられており、登録手続きは、他のセルまたはエリアから受信された場合、拒否される、前記実施形態のいずれかに記載の方法。
【０１９４】
５８．第１のＭＴＣ装置は、グループのためにＩＭＳＩ接続を行い、かつＲＲＣリソース、Ｐ−ＴＭＳＩおよびＩＰアドレスを取得することになる、前記実施形態のいずれかに記載の方法。
【０１９５】
５９．１つのＭＴＣは、グループのためにＩＭＳＩ接続を行い、かつＲＲＣリソース、Ｐ−ＴＭＳＩおよびＩＰアドレスを取得することになる、前記実施形態のいずれかに記載の方法。
【０１９６】
６０．第１のＭＴＣ装置は、以下の少なくとも１つ、すなわち、ネットワークにより、ランダムに、事前のコンフィギュレーションにより、またはハッシュアルゴリズムを用いることにより選択される、前記実施形態のいずれかに記載の方法。
【０１９７】
６１．第１のＭＴＣに障害がある場合、他のＭＴＣ装置が第１のＭＴＣ活動を行うことになる、前記実施形態のいずれかに記載の方法。
【０１９８】
６２．第１のＭＴＣ装置の障害の検出はネットワークにより行われる、前記実施形態のいずれかに記載の方法。
【０１９９】
６３．第１のＭＴＣ装置の障害の検出はＭＴＣ装置により行われる、前記実施形態のいずれかに記載の方法。
【０２００】
６４．そのアカウント番号に基づく個々のＵＲＩが、識別子として使用される、前記実施形態のいずれかに記載の方法。
【０２０１】
６５．そのアカウント番号に基づくＵＲＩは、グループ内の個々のＭＴＣに、同じ無線リソースおよび同じＩＰを使用してそのデータを送信できるようにする、前記実施形態のいずれかに記載の方法。
【０２０２】
個々のＭＴＣは、報告の持続期間中、異なるローカルのＩＰアドレスを割り振ることになる、前記実施形態のいずれかに記載の方法。
【０２０３】
６６．活動を報告するためのＩＰアクセスは、ネットワークにより、または事前のコンフィギュレーション設定に従ってＭＴＣによりランダムにスケジュールされる、前記実施形態のいずれかに記載の方法。
【０２０４】
６７．ネットワークによるポーリングは、制御チャネルシグナリングを用いて行われる、前記実施形態のいずれかに記載の方法。
【０２０５】
６８．ネットワークによるポーリングは、トラフィックチャネル帯域内シグナリングを用いて行われる、前記実施形態のいずれかに記載の方法。
【０２０６】
６９．最後のＭＴＣ装置が、無線リソースおよびＩＰアドレスを解放し、報告期間の最後に、Ｍ２Ｍサーバとのこのグループに関するＭＴＣセッションを終了させる、前記実施形態のいずれかに記載の方法。
【０２０７】
７０．スリープサイクル中にＩＰ接続を解放するＭ２Ｍプロセスは、全てのＭＴＣ装置に電源が投入されたとき、または周期的な起動中に開始し、制御チャネル上でシステム更新情報をリッスンする、前記実施形態のいずれかに記載の方法。
【０２０８】
７１．全てのＭＴＣに電源が投入された後、第１のＭＴＣ装置が送信したかどうかが判定される、前記実施形態のいずれかに記載の方法。
【０２０９】
７２．第１のＭＴＣ装置の送信が行われていない場合、Ｍ２Ｍの状態マシンを開始して制御チャネルをリッスンすること、第１のＭＴＣ登録が成功するのを待つこと、グループベースのＰ−ＴＭＳＩを取得すること、Ｍ２Ｍ（ｘ）ベースのＩＰアドレスを取得すること、送信時間になるのを待つことのうちの少なくとも１つを実施することになり、送信（ＴＸ）まで休止し、かつ全てのＭＴＣ装置を登録する必要があるかどうかを判定することができる、前記実施形態のいずれかに記載の方法。
【０２１０】
７３．第１のＭＴＣ装置の送信が行われていない場合、無線リソースを取得すること、Ｍ２Ｍ（ｘ）登録プロセス、認可および認証を開始すること、並びに登録が成功したかどうかを判定することのうちの少なくとも１つを実施することになる、前記実施形態のいずれかに記載の方法。
【０２１１】
７４．全てのＭＴＣ装置が登録する必要がある判断ステップが「いいえ」である場合、アカウントベースのＵＲＩ／ＵＲＬを用いてＭ２Ｍ（ｘ）サーバにアクセスしデータをアップロードすること、制御更新を取得すること、およびそれが最後のＭＴＣ装置かどうかを判定することのうちの少なくとも１つを実施することになる、前記実施形態のいずれかに記載の方法。
【０２１２】
７５．全てのＭＴＣ装置が登録する必要がある判断ステップが「はい」である場合、Ｍ２Ｍ（ｘ）アカウント番号に基づくＵＲＩ／ＵＲＬを使用してＭ２Ｍサービス登録を実施すること、アカウントベースのＵＲＩ／ＵＲＬを用いてＭ２Ｍ（ｘ）サーバにアクセスし、データをアップロードすること、制御更新を取得すること、およびそれが最後のＭＴＣ装置であるかどうかを判定することのうちの少なくとも１つを実施することになる、前記実施形態のいずれかに記載の方法。
【０２１３】
７６．登録成功ステップが「いいえ」である場合、Ｎ回再試行すること、および第１のＭＴＣが不成功のままである場合、打ち切ることのうちの少なくとも１つを実施することになる、前記実施形態のいずれかに記載の方法。
【０２１４】
７７．登録成功ステップが「はい」である場合、グループベースのＰ−ＴＭＳＩを取得すること、Ｍ２Ｍ（ｘ）ベースのＩＰアドレスを取得すること、ユーザプレーンの無線リソース情報を取得すること、Ｍ２Ｍ（ｘ）アカウント番号に基づくＵＲＩ／ＵＲＬを用いて、Ｍ２Ｍサービス登録を実施すること、アカウントベースのＵＲＩ／（ＵＲＬ）を用いてＭ２Ｍ（ｘ）サーバにアクセスし、データをアップロードすること、制御更新を取得すること、およびそれが最後のＭＴＣであるかどうかを判定することのうちの少なくとも１つを実施することになる、前記実施形態のいずれかに記載の方法。
【０２１５】
７８．最後のＭＴＣ装置が「いいえ」である場合、スリープサイクルに移行する、前記実施形態のいずれかに記載の方法。
【０２１６】
７９．最後のＭＴＣ装置が「はい」である場合、無線リソースを解放すること、ＩＰアドレスを解放して登録された状態にとどまること、及びスリープサイクルに移行することのうちの少なくとも１つを実施することになる、前記実施形態のいずれかに記載の方法。
【０２１７】
８０．ＭＴＣ装置は、周期的に起動し、制御チャネル上でシステム更新をリッスンし、制御サイクルを判定する、前記実施形態のいずれかに記載の方法。
【０２１８】
８１．制御サイクルは、周期的な起動中、および制御チャネル上でシステム更新をリッスンしている間は判定されず、またこれは第１のＭＴＣ装置であり、以下の項目、すなわち、無線リソースを取得すること、Ｍ２Ｍ（ｘ）ベースのＩＰアドレスを取得すること、ユーザプレーンの無線リソース情報を取得すること、必要な場合、ＵＲＩ／ＵＲＬを使用してＭ２Ｍサービス登録を行うこと、アカウントベースのＵＲＩ／ＵＲＬを用いてＭ２Ｍ（ｘ）サーバにアクセスし、データアップロードすること、これが第１のＭＴＣ装置である場合、休止に移行し、最後のＭＴＣ装置が送信するのを待つこと、これが最後のＭＴＣ装置である場合、無線リソースを解放すること、ＩＰアドレスを解放しかつ登録された状態にとどまること、およびスリープサイクルに移行することのうちの少なくとも１つを実施することになる、前記実施形態のいずれかに記載の方法。
【０２１９】
８２．制御サイクルは、周期的な起動中、および制御チャネル上でシステム更新をリッスンしている間は判定されず、またこれは第１のＭＴＣ装置ではなく、以下の項目、すなわち、ユーザプレーンの無線リソース情報を取得すること、必要な場合、ＵＲＩ／ＵＲＬを使用してＭ２Ｍサービス登録を行うこと、アカウントベースのＵＲＩ／ＵＲＬを用いてＭ２Ｍ（ｘ）サーバにアクセスし、データアップロードすること、これが第１のＭＴＣ装置である場合、休止に移行し、最後のＭＴＣ装置が送信するのを待つこと、これが最後のＭＴＣ装置である場合、無線リソースを解放すること、ＩＰアドレスを解放しかつ登録された状態にとどまること、およびスリープサイクルに移行することのうちの少なくとも１つを実施することになる、前記実施形態のいずれかに記載の方法。
【０２２０】
８３．制御サイクルは、ＭＴＣ装置により検出され、またページングメッセージを受信したかどうかを判定することになる、前記実施形態のいずれかに記載の方法。
【０２２１】
８４．システム更新のリッスンを継続している間に、ＭＴＣ装置はページングメッセージを受信していない、前記実施形態のいずれかに記載の方法。
【０２２２】
８５．ＭＴＣ装置がページングメッセージを受信しており、ページングメッセージがグループのページングメッセージであるかどうかを判定することになる、前記実施形態のいずれかに記載の方法。
【０２２３】
８６．ページングメッセージがグループページングメッセージではない場合、以下の項目、すなわち、ＭＴＣ装置は第１のＭＴＣ装置として働くこと、無線リソースを取得すること、ユーザプレーンの無線リソース情報を取得すること、必要な場合、ＵＲＩ／ＵＲＬを使用してＭ２Ｍサービス登録を行うこと、アカウントベースのＵＲＩ／ＵＲＬを用いてＭ２Ｍ（ｘ）サーバにアクセスし、データをアップロードすること、これが第１のＭＴＣ装置である場合、休止に移行して最後のＭＴＣ装置が送信するのを待つこと、これが最後のＭＴＣ装置である場合、無線リソースを解放すること、ＩＰアドレスを解放しかつ登録された状態にとどまること、およびスリープサイクルに移行することのうちの少なくとも１つを実施することになる、前記実施形態のいずれかに記載の方法。
【０２２４】
８７．ページングメッセージがグループページングメッセージである場合、以下の項目、すなわち、それは第１のＭＴＣ装置であると考えられること、無線リソースを取得すること、ユーザプレーンの無線リソース情報を取得すること、必要な場合、ＵＲＩ／ＵＲＬを用いてＭ２Ｍサービス登録を行うこと、アカウントベースのＵＲＩ／ＵＲＬを用いてＭ２Ｍ（ｘ）サーバにアクセスし、データをアップロードすること、これが第１のＭＴＣ装置である場合、休止に移行して最後のＭＴＣ装置が送信するのを待つこと、これが最後のＭＴＣ装置である場合、無線リソースを解放すること、ＩＰアドレスを解放して登録された状態にとどまること、およびスリープサイクルに移行することのうちの少なくとも１つを実施することになる、前記実施形態のいずれかに記載の方法。
【０２２５】
８８．スリープサイクル中にＩＰ接続を維持するＭ２Ｍプロセスは、全てのＭＴＣ装置に電源が投入されたとき、または周期的な起動中に開始し、制御チャネルでシステム更新情報をリッスンする、前記実施形態のいずれかに記載の方法。
【０２２６】
８９．ＭＢＭＳに対するスリープサイクル中にＩＰ接続を維持するＭ２Ｍプロセスは、全てのＭＴＣに電源が投入されたとき、または周期的な起動中に開始し、ＭＢＭＳまたは事前に構成されたＭ２ＭのＩＰシステム更新情報を、制御チャネル上でリッスンする、前記実施形態のいずれかに記載の方法。
【０２２７】
９０．スリープサイクル中にＩＰ接続を解放するＭＴＣ（マシンタイプ通信）のＷＴＲＵをさらに備える、前記実施形態のいずれかに記載の方法。
【０２２８】
９１．スリープサイクル中にＩＰ接続を維持するするＭＴＣのＷＴＲＵをさらに備える、前記実施形態のいずれかに記載の方法。
【０２２９】
９２．スリープサイクルから起動し、かつシステム更新情報をリッスンするステップをさらに含む、前記実施形態のいずれかに記載の方法。
【０２３０】
９３．ＷＴＲＵが制御サイクル中かどうかを判定するステップをさらに含む、前記実施形態のいずれかに記載の方法。
【０２３１】
９４．ＷＴＲＵが制御サイクル中にあるとの判定に応じて、ＷＴＲＵがページングメッセージを受信したかどうかを判定するステップをさらに含む、前記実施形態のいずれかに記載の方法。
【０２３２】
９５．ＷＴＲＵがページングメッセージを受信していないという判定に応じてシステム更新情報をリッスンするステップをさらに含む、前記実施形態のいずれかに記載の方法。
【０２３３】
９６．ＷＴＲＵがページングメッセージを受信しているという判定に応じて、受信したページングメッセージが、グループページングメッセージであるかどうかを判定するステップをさらに含む、前記実施形態のいずれかに記載の方法。
【０２３４】
９７．ＷＴＲＵが制御サイクル中ではないという判定に応じて、ＷＴＲＵは報告サイクル中であるかどうかを判定するステップをさらに含む、前記実施形態のいずれかに記載の方法。
【０２３５】
９８．マスタＭＴＣ（マシンタイプ通信）のＷＴＲＵを選択するステップをさらに含む、前記実施形態のいずれかに記載の方法。
【０２３６】
９９．マスタＭＴＣ  ＷＴＲＵを選択するステップは、ＷＴＲＵが報告サイクル中にあるという判定に応じて、またはＷＴＲＵがグループページングメッセージを受信しているという判定に応じて行われる、前記実施形態のいずれかに記載の方法。
【０２３７】
１００．マスタＭＴＣ  ＷＴＲＵとしてネットワークにより選択されるステップをさらに含む、前記実施形態のいずれかに記載の方法。
【０２３８】
１０１．マスタＭＴＣ  ＷＴＲＵとしてネットワークにより選択されるステップは、ＷＴＲＵが報告サイクル中にあるという判定に基づき、またはＷＴＲＵがグループページングメッセージを受信したという判定に基づき行われる、前記実施形態のいずれかに記載の方法。
【０２３９】
１０２．第２のページングメッセージを待つステップをさらに含む、前記実施形態のいずれかに記載の方法。
【０２４０】
１０３．第２のページングメッセージを待つステップは、ＷＴＲＵが報告サイクル中にあるという判定に応じて、またはＷＴＲＵがグループページングメッセージを受信したという判定に応じて行われる、前記実施形態のいずれかに記載の方法。
【０２４１】
１０４．無線リソースを取得するステップをさらに含む、前記実施形態のいずれかに記載の方法。
【０２４２】
１０５．ＩＰアドレスを取得するステップをさらに含む、前記実施形態のいずれかに記載の方法。
【０２４３】
１０６．ＩＰアドレスを取得するステップは、無線リソースを取得するステップに応じて行われる、前記実施形態のいずれかに記載の方法。
【０２４４】
１０７．ＩＰアドレスは、Ｍ２ＭベースのＩＰアドレスである、前記実施形態のいずれかに記載の方法。
【０２４５】
１０８．ユーザプレーンの無線リソース情報を取得するステップをさらに含む、前記実施形態のいずれかに記載の方法。
【０２４６】
１０９．Ｍ２Ｍサービス登録を行うステップをさらに含む、前記実施形態のいずれかに記載の方法。
【０２４７】
１１０．Ｍ２Ｍサービス登録を行うステップは、Ｍ２Ｍサービス登録が必要であるという判定に応じて行われる、前記実施形態のいずれかに記載の方法。
【０２４８】
１１１．Ｍ２Ｍサービス登録は、ＷＴＲＵに関連付けられたＵＲＬまたはＵＲＩを用いて行われる、前記実施形態のいずれかに記載の方法。
【０２４９】
１１２．Ｍ２Ｍサーバにアクセスするステップさらに含む、前記実施形態のいずれかに記載の方法。
【０２５０】
１１３．データをＭ２Ｍサーバにアップロードするステップをさらに含む、前記実施形態のいずれかに記載の方法。
【０２５１】
１１４．データをＭ２Ｍサーバにアップロードするステップは、ＷＴＲＵに関連付けられたＵＲＬまたはＵＲＩを用いて行われる、前記実施形態のいずれかに記載の方法。
【０２５２】
１１５．ＵＲＬまたはＵＲＩは、ＷＴＲＵに関連付けられたアカウントに関連付けられる、前記実施形態のいずれかに記載の方法。
【０２５３】
１１６．無線リソースを解放するステップさらに含む、前記実施形態のいずれかに記載の方法。
【０２５４】
１１７．ＩＰアドレスを解放するステップをさらに含む、前記実施形態のいずれかに記載の方法。
【０２５５】
１１８．ＩＰアドレスを解放するステップは、アウェイクサイクル中の最後の送信、または最後の時間期間に応じて行われる、前記実施形態のいずれかに記載の方法。
【０２５６】
１１９．スリープサイクルを通して登録状態を維持するステップをさらに含む、前記実施形態のいずれかに記載の方法。
【０２５７】
１２０．スリープサイクルを通してＩＰアドレスを維持するステップをさらに含む、前記実施形態のいずれかに記載の方法。
【０２５８】
１２１．ＷＴＲＵにデータを送信し、またはそこからデータを受信するステップをさらに含み、データは、スリープサイクル中にＩＰ接続のＷＴＲＵによる維持に関係する、前記実施形態のいずれかに記載の方法。
【０２５９】
１２２．ＷＴＲＵにデータを送信し、またはそこからデータを受信するステップをさらに含み、データは、スリープサイクル中にＩＰ接続のＷＴＲＵによる解放に関係する、前記実施形態のいずれかに記載の方法。
【０２６０】
１２３．ＷＴＲＵにデータを送信し、またはそこからデータを受信するステップをさらに含み、データは、スリープサイクル中にＩＰ接続のＷＴＲＵによる維持に関係する、前記実施形態のいずれかに記載の方法。
【０２６１】
１２４．ＷＴＲＵにデータを送信し、またはそこからデータを受信するステップをさらに含み、データは、スリープサイクル中にＩＰ接続のＷＴＲＵによる解放に関係する、前記実施形態のいずれかに記載の方法。
【０２６２】
１２５．ＭＴＣ用に構成されたＷＴＲＵで使用するための方法であって、イベントに応じて、グループに属するＷＴＲＵの指定を決定するステップを含む方法。
【０２６３】
１２６．ＷＴＲＵが指定ＷＴＲＵである場合、グループの全てのメンバーのためにＭＴＣサーバとの登録を行うステップをさらに含む、前記実施形態のいずれかに記載の方法。
【０２６４】
１２７．接続情報を取得するステップをさらに含む、前記実施形態のいずれかに記載の方法。
【０２６５】
１２８．データをＭＴＣサーバにアップロードするステップをさらに含む、前記実施形態のいずれかに記載の方法。
【０２６６】
１２９．登録を行うステップは、ＩＭＳＩ接続手続きを実施する、前記実施形態のいずれかに記載の方法。
【０２６７】
１３０．指定ＷＴＲＵは、無線リソースを取得し、かつ認可および認証を行い、また全てのグループメンバーが同じ無線リソースを使用する、前記実施形態のいずれかに記載の方法。
【０２６８】
１３１．指定ＷＴＲＵは、ネットワーク、ランダムに、ハッシュアルゴリズム、または事前のコンフィギュレーションのうちの少なくとも１つにより設定される、前記実施形態のいずれかに記載の方法。
【０２６９】
１３２．指定ＷＴＲＵまたはＷＴＲＵは、指定ＷＴＲＵによる登録が成功裡に完了すると、グループベースのＰ−ＴＭＳＩまたはグループベースのＩＭＳＩの一方を取得するステップをさらに含む、前記実施形態のいずれかに記載の方法。
【０２７０】
１３３．ＩＰアドレスを取得するステップをさらに含む、前記実施形態のいずれかに記載の方法。
【０２７１】
１３４．ユーザプレーンの無線リソース情報を取得するステップをさらに含む、前記実施形態のいずれかに記載の方法。
【０２７２】
１３５．ＷＴＲＵが指定ＷＴＲＵである場合、またはＭＴＣサーバの要求がある場合、ＵＲＩまたはＵＲＬの一方を用いてＭＴＣサービス登録を行うステップをさらに含む、前記実施形態のいずれかに記載の方法。
【０２７３】
１３６．ＵＲＩまたはＵＲＬに基づいてＭＴＣサーバにアクセスするステップをさらに含む、前記実施形態のいずれかに記載の方法。
【０２７４】
１３７．ＷＴＲＵが最後のＷＴＲＵである場合、無線リソースおよびＩＰアドレスを解放し、かつ登録を維持するステップ、または無線リソースを解放し、かつＩＰアドレスおよび登録を維持するステップの一方を実施するステップと、スリープサイクルに入るステップとをさらに含む、前記実施形態のいずれかに記載の方法。
【０２７５】
１３８．指定ＷＴＲＵまたは最後のＷＴＲＵの一方が、無線リソースおよびＩＰアドレスを解放し、かつ登録を維持するステップ、または無線リソースを解放し、かつＩＰアドレスおよび登録を維持するステップの一方を実施する、前記実施形態のいずれかに記載の方法。
【０２７６】
１３９．イベントに応じて、スリープサイクルからウェイクアップサイクルに入るステップをさらに含む、前記実施形態のいずれかに記載の方法。
【０２７７】
１４０．制御チャネル、同報通信チャネルおよびマルチキャストチャネルのうちの１つからシステム更新をリッスンするステップをさらに含み、ＷＴＲＵは再登録する必要がない、前記実施形態のいずれかに記載の方法。
【０２７８】
１４１．ウェイクアップサイクルは、制御サイクルおよび報告サイクルを含む、前記実施形態のいずれかに記載の方法。
【０２７９】
１４２．ＷＴＲＵが指定ＷＴＲＵである場合、報告サイクルを検出すると、グループの全てのメンバーのために無線リソースを取得するステップをさらに含む、前記実施形態のいずれかに記載の方法。
【０２８０】
１４３．ユーザプレーンの無線リソース情報を取得するステップをさらに含む、前記実施形態のいずれかに記載の方法。
【０２８１】
１４４．ＭＴＣサーバの要求があると、ＵＲＩまたはＵＲＬの一方を用いてＭＴＣサービス登録を行うステップをさらに含む、前記実施形態のいずれかに記載の方法。
【０２８２】
１４５．ＵＲＩまたはＵＲＬに基づいてＭＴＣサーバにアクセスするステップをさらに含む、前記実施形態のいずれかに記載の方法。
【０２８３】
１４６．ＷＴＲＵが指定ＷＴＲＵである場合、ＩＰアドレスを取得するステップをさらに含む、前記実施形態のいずれかに記載の方法。
【０２８４】
１４７．ＷＴＲＵが最後のＷＴＲＵである場合、無線リソースおよびＩＰアドレスを解放し、かつ登録を維持するステップ、または無線リソースを解放し、かつＩＰアドレスおよび登録を維持するステップの一方を実施するステップをさらに含む、前記実施形態のいずれかに記載の方法。
【０２８５】
１４８．スリープサイクルに入るステップをさらに含む、前記実施形態のいずれかに記載の方法。
【０２８６】
１４９．制御サイクルを検出すると、ページングメッセージが存在しないと判定した場合、スリープサイクルに再度入るステップをさらに含む、前記実施形態のいずれかに記載の方法。
【０２８７】
１５０．制御サイクルを検出すると、個々のページを受信した場合、ＷＴＲＵを指定ＷＴＲＵとして指定するステップをさらに含む、前記実施形態のいずれかに記載の方法。
【０２８８】
１５１．ＷＴＲＵが指定ＷＴＲＵである場合、グループの全てのメンバーのために無線リソースを取得するステップをさらに含む、前記実施形態のいずれかに記載の方法。
【０２８９】
１５２．ユーザプレーンの無線リソース情報を取得するステップをさらに含む、前記実施形態のいずれかに記載の方法。
【０２９０】
１５３．ＭＴＣサーバの要求がある場合、ＵＲＩまたはＵＲＬの一方を用いてＭＴＣサービス登録を行うステップをさらに含む、前記実施形態のいずれかに記載の方法。
【０２９１】
１５４．ＵＲＩまたはＵＲＬに基づいてＭＴＣサーバにアクセスするステップをさらに含む、前記実施形態のいずれかに記載の方法。
【０２９２】
１５５．ＷＴＲＵが指定ＷＴＲＵである場合、ＩＰアドレスを取得するステップをさらに含む、前記実施形態のいずれかに記載の方法。
【０２９３】
１５６．ＷＴＲＵが最後のＷＴＲＵである場合、無線リソースおよびＩＰアドレスを解放し、かつ登録を維持するステップ、または無線リソースを解放し、かつＩＰアドレスおよび登録を維持するステップの一方を実施するステップをさらに含む、前記実施形態のいずれかに記載の方法。
【０２９４】
１５７．スリープサイクルに入るステップをさらに含む、前記実施形態のいずれかに記載の方法。
【０２９５】
１５８．ＷＴＲＵ指定情報を含むページングメッセージを待つステップをさらに含む、前記実施形態のいずれかに記載の方法。
【０２９６】
１５９．個々のＷＴＲＵは、報告サイクルの持続期間中、異なるローカルのＩＰアドレスを割り振る、前記実施形態のいずれかに記載の方法。
【０２９７】
１６０．ＷＴＲＵは、ＩＭＳＩ／Ｐ−ＴＭＳＩおよびアカウント番号を有するページングメッセージを用いて更新される、前記実施形態のいずれかに記載の方法。
【０２９８】
１６１．実施形態１〜１６０のいずれか一項に記載の方法を実施するように構成されたＷＴＲＵ（無線送受信ユニット）。
【０２９９】
１６２．実施形態１〜１６０のいずれか一項に記載の方法を実施するように構成された基地局。
【０３００】
１６３．実施形態１〜１６０のいずれか一項に記載の方法を実施するように構成された集積回路。
【０３０１】
特徴および要素が、上記で特定の組合せにより述べられているが、当業者であれば、各特徴または要素は、単独で使用することも、他の特徴および要素との任意の組合せで使用できることも理解されよう。さらに、本明細書で述べた方法は、コンピュータまたはプロセッサにより実行するために、コンピュータ可読媒体中に組み込まれたコンピュータプログラム、ソフトウェア、またはファームウェアで実施することができる。コンピュータ可読媒体の例には、電子信号（有線または無線接続を介して送信される）、およびコンピュータ可読の記憶媒体が含まれる。コンピュータ可読の記憶媒体の例は、これだけに限らないが、ＲＯＭ、ＲＡＭ、レジスタ、キャッシュメモリ、半導体メモリ装置、内部のハードディスクおよび取外し可能ディスクなどの磁気媒体、光磁気媒体、およびＣＤ−ＲＯＭディスク、およびＤＶＤなどの光媒体を含む。ソフトウェアに関連するプロセッサを、ＷＴＲＵ、ＵＥ、端末、基地局、ＲＮＣ、または任意のホストコンピュータで使用する無線周波数送受信機を実装するために使用することができる。
【図１Ａ】
0005499179.tif 000003
【図１Ｂ】
0005499179.tif 000004
【図１Ｃ】
0005499179.tif 000005
【図２】
0005499179.tif 000006
【図３】
0005499179.tif 000007
【図４】
0005499179.tif 000008
【図５】
0005499179.tif 000009
【図６Ａ】
0005499179.tif 000010
【図６Ｂ】
0005499179.tif 000011
【図７Ａ】
0005499179.tif 000012
【図７Ｂ】
0005499179.tif 000013
【図８Ａ】
0005499179.tif 000014
【図８Ｂ】
0005499179.tif 000015
【図９Ａ】
0005499179.tif 000016
【図９Ｂ】
0005499179.tif 000017
【図１０】
0005499179.tif 000018
【図１１】
0005499179.tif 000019
【図１２Ａ】
0005499179.tif 000020
【図１２Ｂ】
0005499179.tif 000021
【図１３Ａ】
0005499179.tif 000022
【図１３Ｂ】
0005499179.tif 000023